(57)【要約】【課題】高いエンターテインメント性を備えたサービスを提供すること。【解決手段】被写体を撮影した利用者の端末装置１２０から所定範囲内に存在する記憶媒体から取得された利用者の識別情報を含む宣伝情報取得要求をサーバコンピュータ１１０に送信し、送信された宣伝情報取得要求に基づいて取得される宣伝情報をサーバコンピュータ１１０から利用者の端末装置１２０に対して送信し、利用者の端末装置１２０において、サーバコンピュータ１１０から送信された宣伝情報を被写体の画像に重ねて表示する宣伝情報提供システム１００を構成した。【選択図】図１
2016053965.tif 000002
【特許請求の範囲】
【請求項１】
利用者の識別情報を記憶する記憶媒体と、当該記憶媒体が記憶する利用者の識別情報を
読み取り可能な利用者の端末装置と、当該利用者の端末装置が接続可能なサーバコンピュ
ータと、を備える宣伝情報提供システムであって、
前記利用者の端末装置は、
被写体を撮影する撮影手段と、
前記撮影手段によって撮影がおこなわれた場合に、自装置から所定範囲内に存在する前
記記憶媒体が記憶する利用者の識別情報を取得する利用者識別情報取得手段と、
前記利用者識別情報取得手段によって取得された利用者の識別情報を含む宣伝情報取得
要求を前記サーバコンピュータに送信する要求送信手段と、を備え、
前記サーバコンピュータは、
前記利用者の識別情報と前記利用者が任意に設定した宣伝情報とを関連付けて記憶する
宣伝情報データベースと、
前記利用者の端末装置から送信された宣伝情報取得要求を受信する要求受信手段と、
前記宣伝情報データベースを参照して、前記要求受信手段によって受信された宣伝情報
取得要求に含まれる利用者の識別情報に関連付けられた宣伝情報を取得する宣伝情報取得
手段と、
前記要求受信手段によって受信された宣伝情報取得要求の送信元の前記利用者の端末装
置に対して前記宣伝情報取得手段によって取得された宣伝情報を送信する宣伝情報送信手
段と、を備え、
前記利用者の端末装置は、
前記サーバコンピュータから送信された宣伝情報を受信する宣伝情報受信手段と、
前記宣伝情報受信手段によって受信された宣伝情報を、前記撮影手段によって撮影され
た被写体の画像に重ねて表示する宣伝情報表示手段と、
を備えたことを特徴とする宣伝情報提供システム。
【発明の詳細な説明】
【技術分野】
【０００１】
この発明は、宣伝情報提供システム、宣伝情報提供方法および宣伝情報提供プログラム
に関する。
【背景技術】
【０００２】
従来、たとえば、地図情報あるいはデータベースにある高度情報を利用して、任意の位
置からみた山岳の様子を山岳形状表示機能がおこない、山名・標高表示機能、広面積表示
機能、天空情報表示機能、目標物表示機能がそれぞれ表示をおこなって景色を作成し、あ
らかじめ設定した複数の場所に対して作成された景色の評価値を評価値計算機能がおこな
い、もっとも景色のよい場所を見つけだすようにした技術があった（たとえば、下記特許
文献１を参照。）。
【０００３】
また、従来、たとえば、景観画像を画像取得部で取得し、画像取得時の位置を位置情報
取得部で取得し、カメラ角と焦点距離と景観画像サイズをカメラ属性情報取得部で取得し
、地図情報管理部で、取得した位置とカメラ角と焦点距離と画像サイズを基に地図情報空
間の中で視野空間を求め、視野空間中に存在する構造物を取得し、ラベル情報作成手段で
構造物の名称またはその属性情報およびその付与位置を含むラベル情報を作成し、ラベル
情報出力手段で、ラベル情報中の位置の情報に対応する画像中に地図情報の名称またはそ
の属性情報を重畳し、重畳された画像を視覚機器に出力するようにした技術があった（た
とえば、下記特許文献２を参照。）。
【０００４】
また、従来、たとえば、光学軸を備えたカメラと、コンピュータと、位置および姿勢決
定手段と、光学軸に直角をなして整列されたディスプレイフィールドを有するディスプレ
イとを有するコンピュータ・ビジョン・システムのグラフィック・ユーザ・インターフェ
イスにおいて、フィールド領域と周辺部とを含み、フィールド領域がディスプレイフィー
ルドのエリアの一部であり、周辺部に包含され、シーンがコンピュータ・ビジョン・シス
テムによってアドレス指定されている場合にイメージおよびグラフィック情報を表示する
ための動作を可能にした技術があった（たとえば、下記特許文献３を参照。）。
【先行技術文献】
【特許文献】
【０００５】
【特許文献１】特表２０００−５１２７８１号公報
【特許文献２】特開平８−２０１０７６号公報
【特許文献３】特開平１０−２６７６７１号公報
【発明の概要】
【発明が解決しようとする課題】
【０００６】
しかしながら、上述した従来の技術は、いずれも、利用者が情報の取得を希望する対象
物に対し、当該対象物を撮影することによって得られる情報は、利用者にかかわらず一定
であり、エンターテインメント性が低いという問題があった。また、上述した従来の技術
は、いずれも、各利用者が求めている情報は利用者によって異なるにもかかわらず、対象
物を撮影することによって得られる情報は対象物に依存して限定されるため、利用者ごと
に異なるニーズに対応することが難しいという問題があった。また、上述した従来の技術
は、いずれも、情報を享受する利用者にかかわらず同じ情報が提供されるため、利用者ご
とに異なるニーズに対応することが難しいという問題があった。
【０００７】
この発明は、上述した従来技術による問題点を解消するため、高いエンターテインメン
ト性を備えたサービスを提供することができる宣伝情報提供システム、宣伝情報提供方法
および宣伝情報提供プログラムを提供することを目的とする。
【０００８】
また、この発明は、上述した従来技術による問題点を解消するため、利用に際しての自
由度が高く、利用者の様々な要望や状況に柔軟に対応できる、高いエンターテインメント
性を備えたサービスを提供することができる宣伝情報提供システム、宣伝情報提供方法お
よび宣伝情報提供プログラムを提供することを目的とする。
【課題を解決するための手段】
【０００９】
上述した課題を解決し、目的を達成するため、この発明にかかる宣伝情報提供システム
は、利用者の識別情報を記憶する記憶媒体と、当該記憶媒体が記憶する利用者の識別情報
を読み取り可能な利用者の端末装置と、当該利用者の端末装置が接続可能なサーバコンピ
ュータと、を備える宣伝情報提供システムであって、前記利用者の端末装置が、被写体を
撮影する撮影手段と、前記撮影手段によって撮影がおこなわれた場合に、自装置から所定
範囲内に存在する前記記憶媒体が記憶する利用者の識別情報を取得する利用者識別情報取
得手段と、前記利用者識別情報取得手段によって取得された利用者の識別情報を含む宣伝
情報取得要求を前記サーバコンピュータに送信する要求送信手段と、を備え、前記サーバ
コンピュータが、前記利用者の識別情報と前記利用者が任意に設定した宣伝情報とを関連
付けて記憶する宣伝情報データベースと、前記利用者の端末装置から送信された宣伝情報
取得要求を受信する要求受信手段と、前記宣伝情報データベースを参照して、前記要求受
信手段によって受信された宣伝情報取得要求に含まれる利用者の識別情報に関連付けられ
た宣伝情報を取得する宣伝情報取得手段と、前記要求受信手段によって受信された宣伝情
報取得要求の送信元の前記利用者の端末装置に対して前記宣伝情報取得手段によって取得
された宣伝情報を送信する宣伝情報送信手段と、を備え、前記利用者の端末装置が、前記
サーバコンピュータから送信された宣伝情報を受信する宣伝情報受信手段と、前記宣伝情
報受信手段によって受信された宣伝情報を、前記撮影手段によって撮影された被写体の画
像に重ねて表示する宣伝情報表示手段と、を備えたことを特徴とする。
【００１０】
また、この発明にかかる宣伝情報提供システムは、上記の発明において、前記サーバコ
ンピュータが、前記利用者の端末装置の利用者の識別情報と、前記利用者に関する情報と
、を関連付けて記憶する利用者情報データベースと、前記利用者の識別情報と、前記利用
者が任意に設定した制限情報と、を関連付けて記憶する制限情報データベースと、前記利
用者情報データベースを参照して、前記要求受信手段によって受信された宣伝情報取得要
求の送信元の前記利用者の端末装置の利用者の識別情報に関連付けられた前記利用者に関
する情報を取得する利用者情報取得手段と、前記制限情報データベースを参照して、前記
要求受信手段によって受信された宣伝情報取得要求に含まれる利用者の識別情報に関連付
けられた制限情報を取得する制限情報取得手段と、前記利用者情報取得手段によって取得
された利用者に関する情報および前記制限情報取得手段によって取得された制限情報に基
づいて、前記宣伝情報取得手段によって取得された宣伝情報の送信の可否を判断する送信
可否判断手段と、を備え、前記宣伝情報送信手段が、前記送信可否判断手段による判断結
果に基づいて、前記宣伝情報取得手段によって取得された宣伝情報を送信することを特徴
とする。
【００１１】
また、この発明にかかる宣伝情報提供システムは、上記の発明において、前記宣伝情報
が、送信順序が定められた複数の分割された宣伝情報によって構成され、前記宣伝情報送
信手段が、前記送信可否判断手段による判断結果に基づいて、前記宣伝情報取得手段によ
って取得された宣伝情報を前記分割された宣伝情報単位で段階的に送信することを特徴と
する。
【００１２】
また、この発明にかかる宣伝情報提供システムは、上記の発明において、前記利用者の
端末装置が、前記撮影手段によって撮影された被写体の画像を解析する画像解析手段と、
前記画像解析手段による解析結果に基づいて、前記宣伝情報受信手段によって受信された
宣伝情報を、前記撮影手段によって撮影された被写体の画像中の人物における所定の位置
に重ねて表示することを特徴とする。
【００１３】
また、この発明にかかる宣伝情報提供システムは、上記の発明において、前記記憶媒体
が、携帯型通信機器に設けられていることを特徴とする。
【００１４】
また、この発明にかかる宣伝情報提供システムは、上記の発明において、前記記憶媒体
が、カード状の媒体に設けられていることを特徴とする。
【００１５】
また、この発明にかかる宣伝情報提供システムは、上記の発明において、前記利用者の
端末装置が、携帯型通信機器によって実現されることを特徴とする。
【００１６】
また、この発明にかかる宣伝情報提供方法は、利用者の識別情報を記憶する記憶媒体と
、当該記憶媒体が記憶する利用者の識別情報を読み取り可能な利用者の端末装置と、当該
利用者の端末装置が接続可能なサーバコンピュータと、を備える宣伝情報提供システムが
おこなう宣伝情報提供方法であって、前記利用者の端末装置に実行させる、被写体を撮影
する撮影工程と、前記撮影工程によって撮影がおこなわれた場合に、自装置から所定範囲
内に存在する前記記憶媒体が記憶する利用者の識別情報を取得する利用者識別情報取得工
程と、前記利用者識別情報取得工程によって取得された利用者の識別情報を含む宣伝情報
取得要求を前記サーバコンピュータに送信する要求送信工程と、前記サーバコンピュータ
に実行させる、前記利用者の端末装置から送信された宣伝情報取得要求を受信する要求受
信工程と、前記利用者の識別情報と前記利用者が任意に設定した宣伝情報とを関連付けて
記憶する宣伝情報データベースを参照して、前記要求受信工程によって受信された宣伝情
報取得要求に含まれる利用者の識別情報に関連付けられた宣伝情報を取得する宣伝情報取
得工程と、前記要求受信工程によって受信された宣伝情報取得要求の送信元の前記利用者
の端末装置に対して前記宣伝情報取得工程によって取得された宣伝情報を送信する宣伝情
報送信工程と、前記利用者の端末装置に実行させる、前記サーバコンピュータから送信さ
れた宣伝情報を受信する宣伝情報受信工程と、前記宣伝情報受信工程によって受信された
宣伝情報を、前記撮影工程によって撮影された被写体の画像に重ねて表示する宣伝情報表
示工程と、を含んだことを特徴とする。
【００１７】
また、この発明にかかる宣伝情報提供プログラムは、利用者の識別情報を記憶する記憶
媒体と、当該記憶媒体が記憶する利用者の識別情報を読み取り可能な利用者の端末装置と
、当該利用者の端末装置が接続可能なサーバコンピュータと、を備える宣伝情報提供シス
テムに実行させる宣伝情報提供プログラムであって、前記利用者の端末装置に、被写体を
撮影する撮影工程と、前記撮影工程によって撮影がおこなわれた場合に、自装置から所定
範囲内に存在する前記記憶媒体が記憶する利用者の識別情報を取得する利用者識別情報取
得工程と、前記利用者識別情報取得工程によって取得された利用者の識別情報を含む宣伝
情報取得要求を前記サーバコンピュータに送信する要求送信工程と、を実行させ、前記サ
ーバコンピュータに、前記利用者の端末装置から送信された宣伝情報取得要求を受信する
要求受信工程と、前記利用者の識別情報と前記利用者が任意に設定した宣伝情報とを関連
付けて記憶する宣伝情報データベースを参照して、前記要求受信工程によって受信された
宣伝情報取得要求に含まれる利用者の識別情報に関連付けられた宣伝情報を取得する宣伝
情報取得工程と、前記要求受信工程によって受信された宣伝情報取得要求の送信元の前記
利用者の端末装置に対して前記宣伝情報取得工程によって取得された宣伝情報を送信する
宣伝情報送信工程と、実行させ前記利用者の端末装置に、前記サーバコンピュータから送
信された宣伝情報を受信する宣伝情報受信工程と、前記宣伝情報受信工程によって受信さ
れた宣伝情報を、前記撮影工程によって撮影された被写体の画像に重ねて表示する宣伝情
報表示工程と、を実行させることを特徴とする。
【発明の効果】
【００１８】
この発明にかかる宣伝情報提供システム、宣伝情報提供方法および宣伝情報提供プログ
ラムによれば、高いエンターテインメント性を備えたサービスを提供することができると
いう効果を奏する。
【００１９】
また、この発明にかかる宣伝情報提供システム、宣伝情報提供方法および宣伝情報提供
プログラムによれば、利用に際しての自由度が高く、利用者の様々な要望や状況に柔軟に
対応できる、高いエンターテインメント性を備えたサービスを提供することができるとい
う効果を奏する。
【図面の簡単な説明】
【００２０】
【図１】この発明にかかる実施の形態の宣伝情報提供システムのシステム構成を示す説明図である。
【図２】この発明にかかる実施の形態の宣伝情報提供システムにおけるサーバコンピュータを実現するコンピュータ装置のハードウエア構成を示すブロック図である。
【図３】この発明にかかる実施の形態の利用者の端末装置を実現するスマートフォンのハードウエア構成を示すブロック図である。
【図４】この発明にかかる実施の形態のサーバコンピュータが備える宣伝情報データベースの一例を示す説明図である。
【図５】この発明にかかる実施の形態のサーバコンピュータが備える利用者情報データベースの一例を示す説明図である。
【図６】この発明にかかる実施の形態のサーバコンピュータが備える制限情報データベースの一例を示す説明図である。
【図７】この発明にかかる実施の形態の宣伝情報提供システムを構成する各部の機能的構成を示すブロック図である。
【図８−１】この発明にかかる実施の形態の宣伝情報提供システムにおける利用者の端末装置の表示画面例を示す説明図（その１）である。
【図８−２】この発明にかかる実施の形態の宣伝情報提供システムにおける利用者の端末装置の表示画面例を示す説明図（その２）である。
【図８−３】この発明にかかる実施の形態の宣伝情報提供システムにおける利用者の端末装置の表示画面例を示す説明図（その３）である。
【図８−４】この発明にかかる実施の形態の宣伝情報提供システムにおける利用者の端末装置の表示画面例を示す説明図（その４）である。
【図８−５】この発明にかかる実施の形態の宣伝情報提供システムにおける利用者の端末装置の表示画面例を示す説明図（その５）である。
【図８−６】この発明にかかる実施の形態の宣伝情報提供システムにおける利用者の端末装置の表示画面例を示す説明図（その６）である。
【図８−７】この発明にかかる実施の形態の宣伝情報提供システムにおける利用者の端末装置の表示画面例を示す説明図（その７）である。
【図９】この発明にかかる実施の形態の宣伝情報提供システムにおける利用者の端末装置の処理手順を示すフローチャートである。
【図１０】この発明にかかる実施の形態の宣伝情報提供システムにおけるサーバコンピュータの処理手順を示すフローチャートである。
【発明を実施するための形態】
【００２１】
以下に添付図面を参照して、この発明にかかる宣伝情報提供システム、宣伝情報提供方
法および宣伝情報提供プログラムの好適な実施の形態を詳細に説明する。
【００２２】
（実施の形態）
（宣伝情報提供システムのシステム構成）
まず、この発明にかかる実施の形態の宣伝情報提供システムのシステム構成について説
明する。図１は、この発明にかかる実施の形態の宣伝情報提供システムのシステム構成を
示す説明図である。図１において、この発明にかかる実施の形態の宣伝情報提供システム
１００は、サーバコンピュータ１１０と、利用者の端末装置１２０と、を備えている。
【００２３】
宣伝情報提供システム１００において、サーバコンピュータ１１０と利用者の端末装置
１２０とは、インターネットなどのネットワークを介して、相互に通信可能に接続されて
いる。また、宣伝情報提供システム１００において、利用者の端末装置１２０は、複数設
けられている。
【００２４】
サーバコンピュータ１１０は、たとえば、パーソナルコンピュータなどのコンピュータ
装置によって実現することができる。サーバコンピュータ１１０を実現するコンピュータ
装置については、説明を後述する。サーバコンピュータ１１０は、宣伝情報データベース
、利用者情報データベース、制限情報データベースなどの各種のデータベースを備えてい
る。宣伝情報データベース、利用者情報データベースおよび制限情報データベースについ
ては、説明を後述する（図４、図５および図６を参照）。
【００２５】
利用者の端末装置１２０は、良好な携帯性を備えていることが好ましく、たとえば、ス
マートフォン、携帯型電話機、ＰＨＳ（Ｐｅｒｓｏｎａｌ  Ｈａｎｄｙ−ｐｈｏｎｅ  Ｓ
ｙｓｔｅｍ）などの携帯型通信機器によって実現することができる。利用者の端末装置１
２０を実現する携帯型通信機器については、説明を後述する。利用者の端末装置１２０ど
うしは、相互に通信可能に接続されている。
【００２６】
宣伝情報提供システム１００において、サーバコンピュータ１１０には、インターネッ
トなどのネットワークを介して、汎用的なパーソナルコンピュータなどのコンピュータ装
置１４０が相互に通信可能に接続されていてもよい。この汎用的なパーソナルコンピュー
タなどのコンピュータ装置１４０は、利用者の端末装置１２０と同様に、利用者による操
作に応じてサーバコンピュータ１１０との間で通信をおこなうことによって、宣伝情報デ
ータベース、利用者情報データベース、制限情報データベースなどの各種のデータベース
が記憶する情報の設定（追加、変更、削除など）に利用することができる。
【００２７】
（サーバコンピュータ１１０のハードウエア構成）
つぎに、この発明にかかる実施の形態の宣伝情報提供システム１００におけるサーバコ
ンピュータ１１０を実現するコンピュータ装置のハードウエア構成について説明する。図
２は、この発明にかかる実施の形態の宣伝情報提供システム１００におけるサーバコンピ
ュータ１１０を実現するコンピュータ装置のハードウエア構成を示すブロック図である。
【００２８】
図２において、この発明にかかる実施の形態の宣伝情報提供システム１００におけるサ
ーバコンピュータ１１０を実現するコンピュータ装置は、ＣＰＵ２０１と、ＲＯＭ２０２
と、ＲＡＭ２０３と、ＨＤＤ（ハードディスクドライブ）２０４と、ＨＤ（ハードディス
ク）２０５と、ネットワーク通信Ｉ／Ｆ（インターフェース）２０６と、を備えている。
また、この発明にかかる実施の形態のサーバコンピュータ１１０を実現するコンピュータ
装置が備える各部２０１〜２０６は、バス２０７によってそれぞれ接続されている。
【００２９】
ＣＰＵ２０１は、コンピュータ装置全体の制御をつかさどる。ＲＯＭ２０２は、ブート
プログラムなどの各種プログラムを記憶している。ＲＡＭ２０３は、ＣＰＵ２０１のワー
クエリアとして使用される。すなわち、ＣＰＵ２０１は、ＲＡＭ２０３をワークエリアと
して使用しながら、ＲＯＭ２０２に記録された各種プログラムを実行することによって、
コンピュータ装置の全体の制御をつかさどる。
【００３０】
ＨＤＤ２０４は、ＣＰＵ２０１の制御にしたがってＨＤ２０５に対するデータのリード
／ライトを制御する。ＨＤ２０５は、ＨＤＤ２０４の制御で書き込まれたデータを記憶す
る。ＨＤＤ２０４は、たとえば、上述した利用者の識別情報、宣伝情報、制限情報、利用
者情報などの各種の情報を記憶する。利用者の識別情報、宣伝情報、制限情報、利用者情
報については説明を後述する。
【００３１】
ネットワーク通信Ｉ／Ｆ２０６は、インターネットなどのネットワークに接続され、ネ
ットワークを介して利用者の端末装置１２０に接続される。また、ネットワーク通信Ｉ／
Ｆ２０６は、ネットワークとコンピュータ装置の内部とのインターフェースをつかさどり
、コンピュータ装置と利用者の端末装置１２０との間におけるデータの入出力を制御する
。
【００３２】
サーバコンピュータ１１０を実現するコンピュータ装置は、ＦＤＤ（フレキシブルディ
スクドライブ）や、ＦＤ（フレキシブルディスク）などを備えていてもよい。この場合、
ＦＤＤは、ＣＰＵの制御にしたがってＦＤに対するデータのリード／ライトを制御する。
ＦＤは、ＦＤＤの制御で書き込まれたデータを記憶する。
【００３３】
また、サーバコンピュータ１１０を実現するコンピュータ装置は、着脱可能な記録媒体
として、上記のＦＤに代えてあるいはＦＤに加えて、ＣＤ−ＲＯＭ（ＣＤ−ＲＷ）、ＭＯ
、ＤＶＤ（Ｄｉｇｉｔａｌ  Ｖｅｒｓａｔｉｌｅ  Ｄｉｓｃ）などの各種の記録媒体を、
着脱可能な記録媒体として用いてもよい。この場合、サーバコンピュータ１１０を実現す
るコンピュータ装置は、各種の記録媒体に対するデータのリード／ライトを制御するドラ
イブを備える。
【００３４】
図２に示したコンピュータ装置は、さらに、ディスプレイや操作部などを備えることに
よって、宣伝情報データベース、利用者情報データベース、制限情報データベースなどの
各種のデータベースが記憶する情報の設定（追加、変更、削除など）に利用可能な、汎用
的なパーソナルコンピュータなどのコンピュータ装置１４０を実現することができる。
【００３５】
（利用者の端末装置１２０のハードウエア構成）
つぎに、この発明にかかる実施の形態の利用者の端末装置１２０を実現するスマートフ
ォンのハードウエア構成について説明する。図３は、この発明にかかる実施の形態の利用
者の端末装置１２０を実現するスマートフォンのハードウエア構成を示すブロック図であ
る。
【００３６】
図３において、この発明にかかる実施の形態の利用者の端末装置１２０を実現するスマ
ートフォンは、ＣＰＵ３０１と、ＲＯＭ３０２と、ＲＡＭ３０３と、メモリ３０４と、音
声通信Ｉ／Ｆ３０５と、ネットワーク通信Ｉ／Ｆ３０６と、ディスプレイ３０７と、操作
部３０８と、マイク３０９と、スピーカ３１０と、カメラ３１１と、無線通信Ｉ／Ｆ３１
２と、を備えている。また、この発明にかかる実施の形態の利用者の端末装置１２０を実
現するスマートフォンが備える各構成部３０１〜３１２は、バス３１３によってそれぞれ
接続されている。
【００３７】
ＣＰＵ３０１は、スマートフォン全体の制御をつかさどる。ＲＯＭ３０２は、ブートプ
ログラムなどのプログラムを記憶している。ＲＡＭ３０３は、ＣＰＵ３０１のワークエリ
アとして使用される。ＲＡＭ３０３は、ディスプレイ３０７に表示させる画像データを書
き込むＶＲＡＭを含んでいてもよい。メモリ３０４は、利用者の端末装置１２０を所有す
る利用者の識別情報を記憶する。メモリ３０４は、利用者の識別情報を不揮発に記憶する
。すなわち、メモリ３０４は、スマートフォンの電源をＯＦＦにした状態であっても利用
者の識別情報を記憶する。
【００３８】
利用者の端末装置１２０の識別情報は、利用者の端末装置１２０を識別可能な情報であ
って、宣伝情報提供システム１００に加入する利用者の端末装置１２０に固有の情報によ
って実現される。利用者の端末装置１２０の識別情報は、たとえば、宣伝情報提供システ
ム１００の管理者などによって設定された任意の数字列や任意の文字列によって実現する
ことができる。また、利用者の端末装置１２０の識別情報は、たとえば、利用者の端末装
置１２０に割り当てられた電子メールアドレスによって実現してもよい。また、利用者の
端末装置１２０の識別情報は、たとえば、利用者の端末装置１２０の製造番号によって実
現してもよい。
【００３９】
音声通信Ｉ／Ｆ３０５は、電話回線網に接続されており、別のスマートフォン（携帯型
電話機やＰＨＳ）などの携帯型通信機器や、固定型電話機との間における音声による通話
を実現する。ネットワーク通信Ｉ／Ｆ３０６は、インターネットなどのネットワークを介
して、当該ネットワークに接続されたコンピュータ装置や別のスマートフォンとの間にお
けるデータの入出力を制御する。
【００４０】
ディスプレイ３０７は、カメラ３１１によって撮影した画像を表示したり、当該画像と
ともに宣伝情報を表示したりする。また、ディスプレイ３０７は、スマートフォンを携帯
型電話機（あるいはＰＨＳ）として利用する場合における設定中のモード（マナーモード
やドライブモードなど）や電波の受信状態を示す各種のマーク、アイコンあるいはツール
ボックスなどを表示し、主にＴＦＴ液晶ディスプレイなどの液晶ディスプレイによって実
現される。
【００４１】
操作部３０８は、文字、数値、各種指示などの入力のためのキーを備え、データ入力を
おこなう。操作部３０８は、たとえば、テンキーやカーソルキーなどを備えたキーボード
やタッチパネルなどによって実現することができる。キーボードやタッチパネルなどによ
って実現される操作部３０８は、当該操作部３０８に対する入力操作に応じた信号を、Ｃ
ＰＵ３０１に対して出力する。
【００４２】
操作部３０８をタッチパネルによって実現する場合、当該タッチパネルは、ディスプレ
イ３０７の表示面側に積層される。タッチパネルは、指やペンなどの筆記部材が接触した
ことを検出した場合に、タッチパネルに対する筆記部材の接触位置に応じた電気信号を出
力する。
【００４３】
また、タッチパネルは、タッチパネルに対する筆記部材の接触が解除された場合は、信
号の出力を停止する。あるいは、タッチパネルは、タッチパネルに対する筆記部材の接触
が解除された場合に、タッチパネルに対する筆記部材の接触がないことを示す信号を出力
してもよい。
【００４４】
タッチパネルは、抵抗膜方式、静電容量方式、電磁誘導方式、表面弾性波方式など公知
の各種の方式によってタッチパネルに対する筆記部材の接触位置を検出し、検出した接触
位置に応じた電気信号を、ＣＰＵ３０１に対して出力する。電磁誘導方式を採用する場合
、電子ペンなどと称される専用の筆記部材を用いる。
【００４５】
マイク３０９は、アナログ形式の音声データとして入力された話者の声や環境音などを
アナログ／デジタル変換し、デジタル形式の音声データを生成する。スピーカ３１０は、
通話相手側から送信されたデジタル形式の音声データや、宣伝情報に含まれる音声データ
をデジタル／アナログ変換し、アナログ形式の音声データに基づいてスピーカコーンにお
けるコイルに通電するなどして音声を出力する。スピーカ３１０は、再生指示を受け付け
た音声データに基づいて、スピーカコーンにおけるコイルに通電するなどして音声を出力
する。
【００４６】
カメラ３１１は、操作部３０８の操作によって被写体を撮影し、画像データを生成する
。生成された画像データは、ＲＡＭ３０３やメモリ３０４などに記憶される。カメラ３１
１は、図示を省略する映像Ｉ／Ｆを介してディスプレイ３０７に接続されていてもよい。
【００４７】
この場合の映像Ｉ／Ｆは、具体的には、たとえば、ディスプレイ３０７あるいはカメラ
３１１との間における所定の処理をおこなうグラフィックコントローラと、即時表示可能
な画像情報を一時的に記録するＶＲＡＭ（Ｖｉｄｅｏ  ＲＡＭ）などのバッファメモリと
、グラフィックコントローラから出力される画像データに基づいてディスプレイ３０７を
制御する制御ＩＣなどによって構成される。
【００４８】
無線通信Ｉ／Ｆ３１２は、別のスマートフォンなど、別の利用者の端末装置１２０との
間における無線通信にかかるデータの入出力を制御する。無線通信Ｉ／Ｆ３１２は、たと
えば、Ｂｌｕｅｔｏｏｔｈなどのように、数ｍ程度の近距離無線通信規格にしたがった無
線通信をおこなう。Ｂｌｕｅｔｏｏｔｈ規格にしたがって無線通信をおこなう場合、指向
性がないことから遮蔽物があっても通信することが可能であるが、指向性アンテナを用い
るなどして敢えて指向性をもたせてもよい。無線通信Ｉ／Ｆ３１２は、たとえば赤外線通
信のように、指向性を有する無線通信規格にしたがった無線通信をおこなうものであって
もよい。
【００４９】
（宣伝情報データベースの一例）
つぎに、宣伝情報データベースの一例について説明する。図４は、この発明にかかる実
施の形態のサーバコンピュータ１１０が備える宣伝情報データベースの一例を示す説明図
である。
【００５０】
図４において、この発明にかかる実施の形態のサーバコンピュータ１１０が備える宣伝
情報データベース４００は、利用者の識別情報と宣伝情報とを関連付けて記憶する。利用
者の識別情報は、宣伝情報提供システム１００に加入している利用者を識別可能な情報で
あって、たとえば宣伝情報提供システム１００の管理者などによって設定された任意の数
字列や任意の文字列によって実現することができる。また、利用者の識別情報は、たとえ
ば、利用者の氏名や利用者の生年月日など、利用者に関する情報を複数組み合わせて構成
されるものであってもよい。
【００５１】
この実施の形態において、宣伝情報提供システム１００に加入している利用者は、宣伝
情報を提供する利用者（第１の利用者）、および、宣伝情報の提供を受ける利用者（第２
の利用者）の２種類の利用者が存在しうる。宣伝情報提供システム１００に加入している
利用者は、宣伝情報を提供する場合には第１の利用者となり、宣伝情報の提供を受ける場
合には第２の利用者となる。
【００５２】
宣伝情報は、利用者（第１の利用者）が任意に設定することが可能であって、たとえば
、任意の数字列や任意の文字列によって実現することができる。具体的には、宣伝情報は
、たとえば、「私はペースメーカーを付けています」、「私は妊娠中です」などのような
情報によって実現することができる。また、具体的には、宣伝情報は、たとえば、劇団に
所属している利用者であれば、「名前は総研太郎です。２０１０年１１月２６日、××劇
場で公演される×××に、○○役で出演します。」などのように、当該利用者が出演して
いる芝居を案内する情報によって実現することができる。この場合、さらに、「チケット
前売り中。￥３，０００」などの情報を含んでいてもよい。
【００５３】
宣伝情報は、利用者の端末装置１２０を実現するスマートフォンが備えるディスプレイ
３０７における当該宣伝情報の表示位置を指定する情報を含んでいてもよい。具体的には
、撮影された被写体に人物が含まれる場合は、当該人物に対し、「人物の肩周辺」、「人
物の頭上」、「人物の足下」などのように表示位置を指定することができる。
【００５４】
また、宣伝情報は、たとえば、利用者（第１の利用者）がデジタルカメラや携帯型電話
機が備えるカメラ機能などを用いて撮影した画像情報によって実現することができる。さ
らに、宣伝情報は、たとえば、楽曲、利用者の声、環境音（野鳥の声、水の流れる音、雑
踏音など）などの音声によって実現してもよい。
【００５５】
宣伝情報は、送信順序が定められた複数の分割された宣伝情報によって構成されていて
もよい。宣伝情報は、たとえば、利用者が任意に作成したストーリーの前半部分を示す分
割された宣伝情報と、該ストーリーの後半部分を示す分割された宣伝情報と、によって構
成することができる。また、宣伝情報は、たとえば、利用者が設定した宣伝情報の概要を
示す分割された宣伝情報と、宣伝情報の詳細を示す一または複数の分割された宣伝情報と
、によって構成することができる。
【００５６】
宣伝情報データベース４００において、宣伝情報は、たとえば、スマートフォンなどの
利用者の端末装置１２０において受け付けた利用者（第１の利用者）による所定の入力操
作に応じて、利用者の端末装置１２０とサーバコンピュータ１１０との間で通信をおこな
うことによって、利用者（第１の利用者）が任意のタイミングで設定（追加、変更、削除
など）することができる。
【００５７】
また、宣伝情報データベース４００において、宣伝情報は、たとえば、インターネット
などのネットワークに接続されたパーソナルコンピュータなどのコンピュータ装置１４０
において利用者による所定の入力操作を受け付け、当該コンピュータ装置１４０とサーバ
コンピュータ１１０との間で通信をおこなうことによって、利用者（第１の利用者）が任
意のタイミングで設定（追加、変更、削除など）することができる。
【００５８】
（利用者情報データベースの一例）
つぎに、利用者情報データベースの一例について説明する。図５は、この発明にかかる
実施の形態のサーバコンピュータ１１０が備える利用者情報データベースの一例を示す説
明図である。
【００５９】
図５において、この発明にかかる実施の形態のサーバコンピュータ１１０が備える利用
者情報データベース５００は、利用者の端末装置１２０の利用者（第２の利用者）の識別
情報と、利用者（第２の利用者）の識別情報と、利用者（第２の利用者）に関する情報（
図５においては、「利用者情報」と示す）とを関連付けて記憶する。利用者に関する情報
は、たとえば、利用者（第２の利用者）の性別、利用者（第２の利用者）の年齢、利用者
（第２の利用者）の個別事情などを示す情報によって実現することができる。具体的には
、利用者に関する情報は、たとえば、「利用者の性別：男性」、「利用者の年齢：２０代
」、「利用者の年齢：６５歳以上」、「利用者の個別事情：妊娠中」、「利用者の個別事
情：観光旅行中」、「利用者の個別事情：肩こり」などのように設定することができる。
【００６０】
また、利用者に関する情報は、たとえば、宣伝情報提供システム１００の利用履歴を示
す情報によって実現することができる。この場合、利用者に関する情報は、具体的には、
たとえば、「直近の１ヶ月間に宣伝情報提供システムによる宣伝情報の提供を受けた回数
」、「直近の１ヶ月間に宣伝情報提供システムによる宣伝情報の提供を受けた地域」など
に基づいて設定することができる。
【００６１】
また、利用者に関する情報は、たとえば、利用者（第２の利用者）の嗜好を示す情報に
よって実現することができる。この場合、利用者に関する情報は、具体的には、たとえば
、「犬」、「美術品」、「美食」などのように、あらかじめ利用者（第２の利用者）によ
って入力されたキーワード、利用者の端末装置１２０を用いておこなわれた検索にかかる
キーワードなどに基づいて設定することができる。
【００６２】
また、この場合、利用者に関する情報は、具体的には、たとえば、クレジットカードの
利用履歴に基づいて設定することができる。より具体的には、たとえば、衣料品店におけ
る決済に際してクレジットカードを用いる頻度が高い利用者（第２の利用者）であれば「
衣料品に関心あり」、ペットショップにおける決済に際してクレジットカードを用いる頻
度が高い利用者であれば「動物（犬、ねこなど）に関心あり」、飲食店における決済に際
してクレジットカードを用いる頻度が高い利用者（第２の利用者）であれば「食に関心あ
り」などのように設定することができる。
【００６３】
また、利用者に関する情報は、たとえば、利用者（第２の利用者）の居住地区、利用者
（第２の利用者）の活動拠点（通学区、勤務地など）、利用者（第２の利用者）の利用頻
度が高い地域、利用者（第２の利用者）の関心が高い地域など、特定の地域を示す情報に
よって実現してもよい。具体的には、利用者に関する情報は、たとえば、「利用者の居住
地区：東京都港区」、「利用者の活動拠点：東京都中央区」、「利用者の利用頻度が高い
地域：大阪市中央区」、「利用者の関心が高い地域：ドイツ  バイエルン州」などのよう
に地域を特定可能な情報によって実現することができる。
【００６４】
利用者情報データベース５００において、利用者の端末装置１２０の識別情報と利用者
に関する情報とは、利用者の識別情報に関連付けて記憶されている。利用者の端末装置１
２０の識別情報は、たとえば、利用者の端末装置１２０に設定された電子メールアドレス
によって実現することができる。
【００６５】
（制限情報データベースの一例）
つぎに、制限情報データベースの一例について説明する。図６は、この発明にかかる実
施の形態のサーバコンピュータ１１０が備える制限情報データベースの一例を示す説明図
である。
【００６６】
図６において、この発明にかかる実施の形態のサーバコンピュータ１１０が備える制限
情報データベース６００は、利用者の識別情報と制限情報とを関連付けて記憶する。制限
情報は、利用者（第１の利用者）が任意に設定することが可能であって、宣伝情報データ
ベース４００に記憶された宣伝情報の提供を制限する条件を示す。制限情報は、たとえば
、宣伝情報の提供が許可される利用者（第２の利用者）を特定可能な情報によって実現す
ることができる。具体的には、制限情報は、たとえば、「男性限定」、「６５歳以上に限
定」、「妊娠中の利用者のみ」、「旅行者のみ」、「東京都中央区に勤務する利用者に限
定」などのように設定することができる。
【００６７】
宣伝情報データベース４００、利用者情報データベース５００、制限情報データベース
６００などの各種データベースは、たとえば、サーバコンピュータ１１０を実現するコン
ピュータ装置が備えるＨＤ２０５に設けられている。宣伝情報データベース４００、利用
者情報データベース５００、制限情報データベース６００などの各種データベースの一部
あるいは全部は、ＨＤ２０５などサーバコンピュータ１１０を実現するコンピュータ装置
が直接備える記憶媒体に限らず、たとえば、サーバコンピュータ１１０を実現するコンピ
ュータ装置と通信可能に接続された別のコンピュータ装置が備える記憶媒体に設けられて
いてもよい。
【００６８】
（宣伝情報提供システム１００の機能的構成）
つぎに、この発明にかかる実施の形態の宣伝情報提供システム１００を構成する各部の
機能的構成について説明する。図７は、この発明にかかる実施の形態の宣伝情報提供シス
テム１００を構成する各部の機能的構成を示すブロック図である。
【００６９】
図７において、この発明にかかる実施の形態の宣伝情報提供システム１００は、サーバ
コンピュータ１１０と、利用者の端末装置１２０と、を備えている。また、この発明にか
かる実施の形態の宣伝情報提供システム１００は、利用者の識別情報を記憶する記憶媒体
７１０を備えている。記憶媒体７１０は、利用者の端末装置１２０を実現するスマートフ
ォンが備えるメモリ３０４などによって実現することができる。
【００７０】
この発明にかかる実施の形態の宣伝情報提供システム１００における利用者の端末装置
１２０は、撮影部７２０と、画像解析部７２１と、利用者識別情報取得部７２２と、要求
送信部７２３と、宣伝情報受信部７２４と、宣伝情報表示部７２５と、を備えている。こ
の発明にかかる実施の形態の宣伝情報提供システム１００における利用者の端末装置１２
０の各機能を実現する、撮影部７２０、画像解析部７２１、利用者識別情報取得部７２２
、要求送信部７２３、宣伝情報受信部７２４、宣伝情報表示部７２５は、利用者の端末装
置１２０を実現するスマートフォンが備える各部によって実現することができる。
【００７１】
撮影部７２０は、被写体を撮影する。操作部３０８の操作によって撮影対象を撮影し、
画像データを生成し、生成された画像データを所定の記憶媒体に記憶する。所定の記憶媒
体は、たとえば、利用者の端末装置１２０を実現するスマートフォンが備えるメモリ３０
４などによって実現することができる。
【００７２】
画像解析部７２１は、撮影部７２０によって撮影され生成された画像データに基づいて
、被写体の画像を解析する。画像解析部７２１は、被写体の画像を解析することにより、
たとえば、被写体の画像に含まれる人物や当該人物の画像における位置を特定する。被写
体の画像の解析、被写体の画像に含まれる人物や当該人物の画像における位置の特定は、
公知の技術を用いて容易に実現可能であるため説明を省略する。
【００７３】
利用者識別情報取得部７２２は、撮影部７２０によって撮影がおこなわれた場合に、自
装置から所定範囲内に存在する記憶媒体が記憶する利用者の識別情報を取得する。利用者
の識別情報を記憶する記憶媒体は、たとえば、スマートフォンなどの利用者の端末装置１
２０に設けられている。
【００７４】
たとえば、Ｂｌｕｅｔｏｏｔｈ規格にしたがって無線通信をおこなう場合、利用者識別
情報取得部７２２は、撮影をおこなった利用者の端末装置１２０（自装置）から所定範囲
内に存在する記憶媒体が記憶するすべての利用者の識別情報を取得することができる。
【００７５】
Ｂｌｕｅｔｏｏｔｈ規格にしたがって無線通信をおこなう場合は、指向性アンテナを用
いることにより、被写体の方向に存在する記憶媒体が記憶する利用者の識別情報を取得す
るように、利用者識別情報取得部７２２が利用者の識別情報を取得する記憶媒体の位置を
制限することができる。Ｂｌｕｅｔｏｏｔｈ規格にしたがって無線通信をおこなうことに
より、自装置から所定範囲内に存在するすべての記憶媒体が記憶する利用者の識別情報を
取得することが可能な状況にあり、かつ、指向性アンテナを用いない場合、利用者識別情
報取得部７２２は、自装置に対し直近の記憶媒体が記憶する利用者の識別情報を取得する
ようにしてもよい。
【００７６】
要求送信部７２３は、利用者識別情報取得部７２２によって取得された利用者の識別情
報を含む宣伝情報取得要求をサーバコンピュータ１１０に送信する。宣伝情報取得要求は
、利用者識別情報取得部７２２によって取得された利用者の識別情報によって識別される
利用者の宣伝情報を、当該利用者の識別情報を取得した利用者の端末装置１２０に送信す
るよう要求する情報であって、利用者の識別情報に加えて、宣伝情報取得要求の送信元と
なる利用者の端末装置１２０の利用者の識別情報を含む。
【００７７】
あるいは、宣伝情報取得要求は、利用者の識別情報に加えて、宣伝情報取得要求の送信
元となる利用者の端末装置１２０の利用者の識別情報を特定可能な情報を含んでいてもよ
い。利用者の端末装置１２０の利用者の識別情報を特定可能な情報は、たとえば、利用者
の端末装置１２０に設定された電子メールアドレスによって実現することができる。
【００７８】
宣伝情報受信部７２４は、サーバコンピュータ１１０から送信された宣伝情報を受信す
る。宣伝情報は、要求送信部７２３によって送信された宣伝情報取得要求に応じてサーバ
コンピュータ１１０から送信される。
【００７９】
宣伝情報表示部７２５は、宣伝情報受信部７２４によって受信された宣伝情報を、撮影
部７２０によって撮影された被写体の画像に重ねて表示する。宣伝情報表示部７２５は、
ディスプレイ３０７において、撮影部７２０によって撮影された被写体の画像よりも宣伝
情報が手前に見えるように、宣伝情報受信部７２４によって受信された宣伝情報を、撮影
部７２０によって撮影された被写体の画像に重ねて表示する。
【００８０】
宣伝情報表示部７２５は、宣伝情報の表示に際して、ディスプレイ３０７における同一
位置に被写体の画像と宣伝情報とが重なる場合は、Ｚバッファ法など周知の陰面消去法に
より各画像データのＺバッファのＺ値を参照することで、宣伝情報を優先してＶＲＡＭな
どに記憶させる。これにより、被写体の画像を背景画像とした状態で、被写体の画像に重
ねて宣伝情報を表示することができる。
【００８１】
画像解析部７２１による被写体の画像の解析がおこなわれた場合、宣伝情報表示部７２
５は、画像解析部７２１による解析結果に基づいて、宣伝情報受信部７２４によって受信
された宣伝情報を、撮影部７２０によって撮影された被写体の画像中の人物における所定
の位置に重ねて表示する。この場合、宣伝情報表示部７２５は、たとえば、被写体の画像
中の人物の肩、当該人物の頭上、当該人物の足下などの位置に、宣伝情報受信部７２４に
よって受信された宣伝情報を表示する。
【００８２】
サーバコンピュータ１１０は、宣伝情報データベース４００と、利用者情報データベー
ス５００と、制限情報データベース６００と、要求受信部７３０と、宣伝情報取得部７３
１と、利用者情報取得部７３２と、制限情報取得部７３３と、送信可否判断部７３４と、
宣伝情報送信部７３５と、を備えている。この発明にかかる実施の形態の宣伝情報提供シ
ステム１００におけるサーバコンピュータ１１０の各機能を実現する、宣伝情報データベ
ース４００、利用者情報データベース５００、制限情報データベース６００、要求受信部
７３０、宣伝情報取得部７３１、利用者情報取得部７３２、制限情報取得部７３３、送信
可否判断部７３４、宣伝情報送信部７３５は、サーバコンピュータ１１０を実現するコン
ピュータ装置が備える各部によって実現することができる。
【００８３】
要求受信部７３０は、利用者の端末装置１２０から送信された宣伝情報取得要求を受信
する。宣伝情報取得部７３１は、宣伝情報データベース４００を参照して、要求受信部７
３０によって受信された宣伝情報取得要求に含まれる利用者の識別情報に関連付けられた
宣伝情報を取得する。
【００８４】
利用者情報取得部７３２は、利用者情報データベース５００を参照して、要求受信部７
３０によって受信された宣伝情報取得要求の送信元の利用者の端末装置１２０の識別情報
に関連付けられた利用者に関する情報を取得する。具体的には、利用者情報取得部７３２
は、たとえば、利用者の年齢を示す情報を取得する。利用者情報データベース５００にお
いて、該当する利用者の端末装置１２０の識別情報に対して、利用者に関する情報が複数
関連付けられている場合、利用者情報取得部７３２は、該当する利用者の端末装置１２０
の識別情報に対して関連付けられたすべての利用者に関する情報を取得する。
【００８５】
宣伝情報取得要求に、当該宣伝情報取得要求の送信元となる利用者の端末装置１２０の
利用者の識別情報を特定可能な情報（当該宣伝情報取得要求の送信元の利用者の端末装置
１２０に設定された電子メールアドレス）を含める場合は、利用者の端末装置１２０に設
定された電子メールアドレスと利用者の識別情報とを関連付けて記憶するデータベース（
図示を省略する）をサーバコンピュータ１１０に設け、利用者情報取得部７３２は電子メ
ールアドレスを含む宣伝情報取得要求を受信した場合に当該データベースを参照して該当
する利用者の識別情報を特定し、特定された利用者の識別情報に関連付けられた利用者に
関する情報を利用者情報データベース５００から取得する。
【００８６】
制限情報取得部７３３は、制限情報データベース６００を参照して、要求受信部７３０
によって受信された宣伝情報取得要求に含まれる利用者の識別情報に関連付けられた制限
情報を取得する。具体的には、制限情報取得部７３３は、たとえば、「６５歳以上に限定
」などの情報を取得する。制限情報データベース６００において、該当する利用者の識別
情報に複数の制限情報が関連付けられている場合、制限情報取得部７３３は、該当する利
用者の識別情報に関連付けられたすべての制限情報を取得する。
【００８７】
送信可否判断部７３４は、利用者情報取得部７３２によって取得された利用者に関する
情報および制限情報取得部７３３によって取得された制限情報に基づいて、宣伝情報取得
部７３１によって取得された宣伝情報の送信の可否を判断する。具体的には、送信可否判
断部７３４は、たとえば、利用者情報取得部７３２によって「利用者の年齢：６５歳以上
」という情報が取得され、制限情報取得部７３３によって「６５歳以上に限定」という情
報が取得された場合に、宣伝情報取得部７３１によって取得された宣伝情報の送信が可能
である（宣伝情報の送信をおこなう）と判断する。また、具体的には、送信可否判断部７
３４は、たとえば、利用者情報取得部７３２によって「利用者の年齢：２０代」という情
報が取得され、制限情報取得部７３３によって「６５歳以上に限定」という情報が取得さ
れた場合は、宣伝情報取得部７３１によって取得された宣伝情報の送信はおこなわないと
判断する。
【００８８】
利用者情報データベース５００において該当する利用者の端末装置１２０の識別情報に
関連付けられた利用者に関する情報が存在せず、かつ、制限情報データベース６００にお
いて該当する利用者の識別情報に制限情報が関連付けられている場合、送信可否判断部７
３４は、宣伝情報取得部７３１によって取得された宣伝情報の送信はおこなわないと判断
する。制限情報データベース６００において該当する利用者の識別情報に関連付けられた
制限情報が存在しない場合、送信可否判断部７３４は、宣伝情報取得部７３１によって取
得された宣伝情報の送信が可能であると判断する。
【００８９】
宣伝情報送信部７３５は、要求受信部７３０によって受信された宣伝情報取得要求の送
信元の利用者の端末装置１２０に対して、宣伝情報取得部７３１によって取得された宣伝
情報を送信する。宣伝情報送信部７３５は、たとえば、要求受信部７３０によって受信さ
れた宣伝情報取得要求の送信元の利用者の端末装置１２０に設定された電子メールアドレ
スを送信先として、宣伝情報取得部７３１によって取得された宣伝情報を送信する。
【００９０】
宣伝情報取得部７３１によって取得された宣伝情報が複数存在する場合、宣伝情報送信
部７３５は、取得されたすべての宣伝情報を送信する。あるいは、宣伝情報取得部７３１
によって取得された宣伝情報が複数存在する場合、宣伝情報送信部７３５は、取得された
複数の宣伝情報の中から任意の宣伝情報を選択的に送信してもよい。
【００９１】
また、宣伝情報取得部７３１によって取得された宣伝情報が複数存在する場合、宣伝情
報送信部７３５は、取得された宣伝情報の中から所定の優先順位にしたがった一の宣伝情
報を選択し、選択された一の宣伝情報を送信してもよい。この場合、宣伝情報データベー
ス４００においては、同一の利用者の識別情報に関連付けられた複数の宣伝情報のそれぞ
れに優先順位を設定しておく。この場合、優先順位は、利用者が任意に設定することがで
きる。あるいは、この場合、優先順位は、宣伝情報提供システム１００の管理者などが任
意に設定するようにしてもよい。
【００９２】
宣伝情報送信部７３５は、送信可否判断部７３４による判断結果に基づいて、宣伝情報
取得部７３１によって取得された宣伝情報を送信する。送信可否判断部７３４によって宣
伝情報の送信にかかる判断がおこなわれた場合、宣伝情報送信部７３５は、送信可否判断
部７３４による判断結果に基づいて、宣伝情報取得部７３１によって取得された宣伝情報
を分割された宣伝情報単位で段階的に送信する。
【００９３】
具体的には、宣伝情報送信部７３５は、たとえば、宣伝情報取得要求を受信した場合に
宣伝情報の概要を示す分割された宣伝情報を送信し、その後、宣伝情報の送信が可能であ
ると判断された場合に宣伝情報の詳細を示す分割された宣伝情報を送信することができる
。また、宣伝情報送信部７３５は、たとえば、宣伝情報の送信はおこなわないと判断され
た場合に、宣伝情報に代えて、「閲覧制限があるためこの先の情報は表示できません」や
「閲覧制限があるため情報を取得できません」などのように、宣伝情報の送信がおこなわ
れないことを案内する制限通知情報を送信してもよい。
【００９４】
（表示画面例）
つぎに、この発明にかかる実施の形態の宣伝情報提供システム１００における利用者の
端末装置１２０の表示画面例について説明する。図８−１、図８−２、図８−３、図８−
４、図８−５、図８−６および図８−７は、この発明にかかる実施の形態の宣伝情報提供
システム１００における利用者の端末装置１２０の表示画面例を示す説明図である。
【００９５】
図８−１、図８−２、図８−３、図８−４、図８−５、図８−６および図８−７におい
て、この発明にかかる実施の形態の宣伝情報提供システム１００における利用者の端末装
置１２０は、サーバコンピュータ１１０から送信された宣伝情報に基づいた表示画面８１
０、８２０、８３０、８４０、８５０、８６０、８７０を表示する。宣伝情報は、たとえ
ば、表示画面８１０、８２０、８３０に示すように、被写体の画像中の人物における所定
の位置に重ねて表示することができる。表示画面８１０、８２０、８３０において、宣伝
情報は、被写体の画像中の人物の顔の周辺に、吹き出し状に表示されている。
【００９６】
また、宣伝情報は、たとえば、表示画面８３０、８４０に示すように、被写体の画像中
の人物の位置や体勢などにかかわらず、一定の位置に重ねて表示することができる。表示
画面８３０、８４０において、宣伝情報は、表示画面８３０、８４０の下方にテロップ状
に表示されている。宣伝情報は、表示画面８３０、８４０の下方に表示するものに限らず
、表示画面８３０、８４０の上方に表示してもよいし、側方に表示してもよい。
【００９７】
また、宣伝情報は、たとえば、表示画面８５０に示すように、当該表示画面８５０を装
飾する図形（図８−５における符号８５１を参照）として表示することができる。図形に
よって示される宣伝情報は、定位置に表示されるもの（図８−５における花や星の図形）
であってもよいし、被写体の画像中の人物の位置や体勢などに応じて当該人物の周囲を移
動するように表示されるもの（図８−５における蝶の図形）であってもよい。
【００９８】
宣伝情報は、被写体の画像中の人物の周囲に表示されるものに限らず、当該人物に重ね
て表示されるものであってもよい。これによって、たとえば、図８−５に示した表示画面
８５０においては、図８−５における蝶（図８−５における符号８５１を参照）が、被写
体の画像中の人物の目の前を横切るような宣伝情報を表示することができる。
【００９９】
また、宣伝情報は、当該宣伝情報の取得を要求した利用者（第２の利用者）、および、
当該利用者の端末装置１２０によって取得された利用者の識別情報に関連付けられた制限
情報に応じて、当該宣伝情報の一部のみが表示されるものであってもよい。図８−６にお
いては、複数の分割された宣伝情報によって構成される宣伝情報のうち、電子メールを互
いにやり取りする相手を求める分割された宣伝情報（図８−６における符号８６１を参照
）のみが表示された表示画面８６０が示されている。
【０１００】
複数の分割された宣伝情報によって構成される宣伝情報のうちの一部の分割された宣伝
情報のみが表示され、残りの分割された宣伝情報は表示されていない場合、たとえば「閲
覧制限があるためこの先の情報は表示できません」などのように、宣伝情報のすべてを表
示することができないことを案内するメッセージ（図８−６における符号８６２を参照）
を表示してもよい。このメッセージは、サーバコンピュータ１１０から、複数の分割され
た宣伝情報によって構成される宣伝情報のうちの一部の分割された宣伝情報に加えて、制
限通知情報を受信した場合に、当該制限通知情報に基づいて表示することができる。
【０１０１】
制限通知情報は、宣伝情報が送信されない場合に、当該宣伝情報に代えて、サーバコン
ピュータ１１０から送信される。あるいは、制限通知情報は、複数の分割された宣伝情報
によって構成される宣伝情報のうち利用者の端末装置１２０に送信される一部の分割情報
以外の分割された宣伝情報（残りの分割された宣伝情報）が送信されない場合に、当該残
りの分割された宣伝情報に代えて、サーバコンピュータ１１０から送信される。
【０１０２】
また、宣伝情報は、当該宣伝情報の取得を要求した利用者、および、当該利用者の端末
装置１２０によって取得された利用者の識別情報に関連付けられた制限情報に応じて、利
用者の識別情報を取得した利用者の端末装置１２０の利用者（第２の利用者）が制限情報
を満足する場合、複数の分割された宣伝情報によって構成される宣伝情報のすべてが表示
されるものであってもよい。図８−７においては、電子メールを互いにやり取りする相手
を求める分割された宣伝情報と、実際の電子メールの送信先となる電子メールアドレスを
示す分割された宣伝情報（図８−７における符号８７１を参照）と、が表示された表示画
面８７０が示されている。
【０１０３】
（利用者の端末装置１２０の処理手順）
つぎに、この発明にかかる実施の形態の宣伝情報提供システム１００における利用者の
端末装置１２０の処理手順について説明する。図９は、この発明にかかる実施の形態の宣
伝情報提供システム１００における利用者の端末装置１２０の処理手順を示すフローチャ
ートである。図９のフローチャートに示した処理は、利用者の端末装置１２０において、
宣伝情報提供システム１００の管理者などが提供する所定のアプリケーションが起動され
ている状態において実行される。
【０１０４】
図９のフローチャートにおいて、まず、宣伝情報提供システム１００の管理者などが提
供する所定のアプリケーションが起動されている状態において、撮影を指示する撮影指示
操作があったか否かを判断する（ステップＳ９０１）。撮影指示操作がない場合（ステッ
プＳ９０１：Ｎｏ）は、撮影指示操作があるまで待機する。
【０１０５】
ステップＳ９０１において、撮影指示操作があった場合（ステップＳ９０１：Ｙｅｓ）
は、利用者の識別情報の取得処理を実行する（ステップＳ９０２）。ステップＳ９０２に
おいては、たとえば、Ｂｌｕｅｔｏｏｔｈなどの近距離無線通信規格にしたがった無線通
信処理を実行する。そして、ステップＳ９０２において利用者の識別情報の取得処理を実
行した結果、利用者の識別情報を取得したか否かを判断する（ステップＳ９０３）。
【０１０６】
ステップＳ９０３において、利用者の識別情報を取得した場合（ステップＳ９０３：Ｙ
ｅｓ）は、ステップＳ９０１：Ｙｅｓにおける撮影指示操作に応じて撮影された画像に対
する画像解析処理を開始する（ステップＳ９０４）とともに、サーバコンピュータ１１０
に対して、ステップＳ９０２において実行した取得処理によって取得された利用者の識別
情報にかかる利用者に関する宣伝情報取得要求を送信する（ステップＳ９０５）。ステッ
プＳ９０４においては、たとえば、ステップＳ９０１：Ｙｅｓにおける撮影指示操作に応
じて撮影された画像中の人物を特定する画像解析処理を開始する。
【０１０７】
ステップＳ９０５においては、ステップＳ９０３：Ｙｅｓにおいて取得された利用者の
識別情報と、当該利用者の識別情報を取得した利用者の端末装置１２０の利用者の識別情
報と、を含む宣伝情報取得要求を生成し、生成された宣伝情報取得要求をサーバコンピュ
ータ１１０に対して送信する。ステップＳ９０５においては、利用者の識別情報を取得し
た利用者の端末装置１２０の利用者の識別情報に代えて、当該利用者の端末装置１２０に
設定された電子メールアドレスを含む宣伝情報取得要求を生成し、送信してもよい。
【０１０８】
つぎに、ステップＳ９０５において送信された宣伝情報取得要求に応じて、サーバコン
ピュータ１１０から送信された宣伝情報を受信したか否かを判断する（ステップＳ９０６
）。ステップＳ９０６において、サーバコンピュータ１１０から送信された宣伝情報を受
信した場合（ステップＳ９０６：Ｙｅｓ）は、ステップＳ９０４において開始した画像解
析処理が完了したか否かを判断する（ステップＳ９０７）。
【０１０９】
そして、ステップＳ９０４において開始した画像解析処理が完了した場合（ステップＳ
９０７：Ｙｅｓ）は、利用者の端末装置１２０を実現するスマートフォンが備えるディス
プレイ３０７に、ステップＳ９０６において受信された宣伝情報を表示して（ステップＳ
９０８）、一連の処理を終了する。
【０１１０】
ステップＳ９０７において、ステップＳ９０４において開始した画像解析処理が完了し
ていない場合（ステップＳ９０７：Ｎｏ）は、ステップＳ９０６において受信された宣伝
情報に基づいて、利用者の端末装置１２０を実現するスマートフォンが備えるディスプレ
イ３０７における当該宣伝情報の、被写体の画像における人物に対する表示位置の指定が
あるか否かを判断する（ステップＳ９０９）。表示位置の指定がある場合（ステップＳ９
０９：Ｙｅｓ）は、ステップＳ９０７へ戻り、画像解析処理が完了したか否かの判断を、
当該画像解析処理が完了するまで繰り返す。
【０１１１】
ステップＳ９０９において、利用者の端末装置１２０を実現するスマートフォンが備え
るディスプレイ３０７における宣伝情報の、被写体の画像における人物に対する表示位置
の指定がない場合（ステップＳ９０９：Ｎｏ）は、ステップＳ９０８に移行する。そして
、利用者の端末装置１２０を実現するスマートフォンが備えるディスプレイ３０７に、ス
テップＳ９０６において受信された宣伝情報を表示して（ステップＳ９０８）、一連の処
理を終了する。
【０１１２】
ステップＳ９０６において、サーバコンピュータ１１０から送信された宣伝情報を受信
していない場合（ステップＳ９０６：Ｎｏ）は、サーバコンピュータ１１０から送信され
た制限通知情報を受信したか否かを判断する（ステップＳ９１０）。サーバコンピュータ
１１０から送信された制限通知情報を受信した場合（ステップＳ９１０：Ｙｅｓ）は、利
用者の端末装置１２０を実現するスマートフォンが備えるディスプレイ３０７に、ステッ
プＳ９１０：Ｙｅｓにおいて受信された制限通知情報を表示して（ステップＳ９１１）、
一連の処理を終了する。
【０１１３】
ステップＳ９１０において、サーバコンピュータ１１０から送信された制限通知情報を
受信していない場合（ステップＳ９１０：Ｎｏ）は、ステップＳ９０５において宣伝情報
取得要求を送信してから所定時間が経過したか否かを判断する（ステップＳ９１２）。ス
テップＳ９１２において、ステップＳ９０５において宣伝情報取得要求を送信してから所
定時間が経過していない場合（ステップＳ９１２：Ｎｏ）は、ステップＳ９０６へ戻り、
サーバコンピュータ１１０から送信された宣伝情報を受信したか否かの判断を、当該宣伝
情報を受信するまで繰り返す。
【０１１４】
ステップＳ９１２において、ステップＳ９０５において宣伝情報取得要求を送信してか
ら、サーバコンピュータ１１０から送信された宣伝情報を受信しないまま、所定時間が経
過した場合（ステップＳ９１２：Ｙｅｓ）は、所定のエラー処理をおこなって（ステップ
Ｓ９１３）、一連の処理を終了する。ステップＳ９１３においては、たとえば、利用者の
端末装置１２０を実現するスマートフォンが備えるディスプレイ３０７に、「通信エラー
が発生しました。処理を中断します。」などのエラーメッセージを表示する。
【０１１５】
ステップＳ９０３において、利用者の識別情報を取得していない場合（ステップＳ９０
３：Ｎｏ）、ステップＳ９０２において利用者の識別情報の取得処理を実行してから所定
時間が経過したか否かを判断する（ステップＳ９１４）。ステップＳ９１４において、ス
テップＳ９０２において利用者の識別情報の取得処理を実行してから所定時間が経過して
いない場合（ステップＳ９１４：Ｎｏ）は、ステップＳ９０２へ戻る。
【０１１６】
ステップＳ９１４において、ステップＳ９０２において利用者の識別情報の取得処理を
実行してから所定時間が経過した場合（ステップＳ９１４：Ｙｅｓ）は、所定のエラー処
理をおこなって（ステップＳ９１５）、一連の処理を終了する。ステップＳ９１５におい
ては、たとえば、ステップＳ９１３におけるエラー処理と同様に、利用者の端末装置１２
０を実現するスマートフォンが備えるディスプレイ３０７に、「通信エラーが発生しまし
た。処理を中断します。」などのエラーメッセージを表示する。
【０１１７】
（サーバコンピュータ１１０の処理手順）
つぎに、この発明にかかる実施の形態の宣伝情報提供システム１００におけるサーバコ
ンピュータ１１０の処理手順について説明する。図１０は、この発明にかかる実施の形態
の宣伝情報提供システム１００におけるサーバコンピュータ１１０の処理手順を示すフロ
ーチャートである。
【０１１８】
図１０のフローチャートにおいて、まず、上述した図９に示したフローチャートのステ
ップＳ９０５において利用者の端末装置１２０から送信された、宣伝情報取得要求を受信
したか否かを判断する（ステップＳ１００１）。ステップＳ１００１において、利用者の
端末装置１２０から送信された宣伝情報取得要求を受信していない場合（ステップＳ１０
０１：Ｎｏ）は、当該宣伝情報要求情報を受信するまで待機する。
【０１１９】
ステップＳ１００１において、利用者の端末装置１２０から送信された宣伝情報取得要
求を受信した場合（ステップＳ１００１：Ｙｅｓ）は、受信された宣伝情報取得要求から
、上述した図９に示したフローチャートのステップＳ９０３：Ｙｅｓにおいて取得された
利用者の識別情報を取得する（ステップＳ１００２）。
【０１２０】
つぎに、宣伝情報データベース４００を参照して、ステップＳ１００２において取得さ
れた利用者の識別情報に関連付けられた宣伝情報を取得する（ステップＳ１００３）。ス
テップＳ１００３においては、該当する宣伝情報が複数存在する場合、すべての宣伝情報
を取得する。
【０１２１】
また、ステップＳ１００３においては、該当する宣伝情報が複数存在する場合、あらか
じめ取得順序を定めておくことにより、該当する複数の宣伝情報の中から１つの宣伝情報
を選択的に取得するようにしてもよい。具体的には、たとえば、ステップＳ１００２にお
いて取得された利用者の識別情報に関連付けられた宣伝情報が「Ａ」、「Ｂ」、「Ｃ」、
「Ｄ」、「Ｅ」の５つ存在し、各宣伝情報に対しＡ→Ｂ→Ｃ→Ｄ→Ｅ→Ａ→・・・のよう
に巡回する取得順序が設定されている場合、前回Ａの宣伝情報が取得された場合には、次
回はＢの宣伝情報を取得するように構成する。
【０１２２】
これによって、利用者の端末装置１２０を用いて利用者の識別情報の取得をおこなった
利用者は、同一の利用者の識別情報を繰り返し取得した場合にも、取得するごとに異なる
宣伝情報を閲覧することができる。これにより、宣伝情報取得要求の送信元となる利用者
の端末装置１２０の利用者を飽きさせることなく楽しませることができ、つぎに表示され
る宣伝情報への期待をもたせることができるので、エンターテインメント性に特化した、
高いエンターテインメント性を有するサービスを提供することができる。
【０１２３】
ステップＳ１００４においては、制限情報データベース６００を参照して、ステップＳ
１００２において取得された利用者の識別情報に関連付けられた制限情報があるか否かを
判断する（ステップＳ１００４）。ステップＳ１００４において、ステップＳ１００２に
おいて取得された利用者の識別情報に関連付けられた制限情報がある場合（ステップＳ１
００４：Ｙｅｓ）は、制限情報データベース６００を参照して、該当する制限情報を取得
する（ステップＳ１００５）。
【０１２４】
ステップＳ１００５においては、制限情報データベース６００を参照して、ステップＳ
１００２において取得された利用者の識別情報に関連付けられた制限情報をすべて取得す
る。制限情報データベース６００において、該当する利用者の識別情報に関連付けられた
制限情報が複数存在する場合は、すべての制限情報を取得する。
【０１２５】
つぎに、利用者情報データベース５００を参照して、ステップＳ１００２において取得
された利用者の識別情報に関連付けられた利用者情報を取得する（ステップＳ１００６）
。ステップＳ１００６においては、ステップＳ１００２において取得された利用者の識別
情報に関連付けられた利用者情報が複数存在する場合は、複数の利用者情報のすべてを取
得する。
【０１２６】
つぎに、ステップＳ１００５において取得された制限情報と、ステップＳ１００６にお
いて取得された利用者情報と、に基づいて、ステップＳ１００１：Ｙｅｓにおいて受信さ
れた宣伝情報取得要求の送信元となる利用者の端末装置１２０に対して、ステップＳ１０
０３において取得された宣伝情報を送信することが可能であるか否かを判断する（ステッ
プＳ１００７）。
【０１２７】
ステップＳ１００７においては、ステップＳ１００６において取得された利用者情報の
うち、ステップＳ１００５において取得された制限情報による制限を満足する利用者情報
が存在するか否かを判断する。そして、ステップＳ１００６において取得された利用者情
報のうち、ステップＳ１００５において取得された制限情報による制限を満足する利用者
情報が存在する場合に、ステップＳ１００３において取得された宣伝情報を送信すること
が可能であると判断する。
【０１２８】
ステップＳ１００７において、ステップＳ１００３において取得された宣伝情報を送信
することが可能である場合（ステップＳ１００７：Ｙｅｓ）は、ステップＳ１００１：Ｙ
ｅｓにおいて受信された宣伝情報取得要求の送信元となる利用者の端末装置１２０に対し
て、該当する宣伝情報を送信して（ステップＳ１００８）、一連の処理を終了する。
【０１２９】
一方、ステップＳ１００７において、ステップＳ１００３において取得された宣伝情報
を送信することが可能ではない場合（ステップＳ１００７：Ｎｏ）は、ステップＳ１００
１：Ｙｅｓにおいて受信された宣伝情報取得要求の送信元となる利用者の端末装置１２０
に対して、上記の制限通知情報を送信して（ステップＳ１００９）、一連の処理を終了す
る。
【０１３０】
ステップＳ１００３において、ステップＳ１００２において取得された利用者の識別情
報に関連付けられた制限情報がない場合（ステップＳ１００４：Ｎｏ）は、ステップＳ１
００８へ移行して、ステップＳ１００１において受信された宣伝情報取得要求の送信元と
なる利用者の端末装置１２０に対して、ステップＳ１００３において取得された宣伝情報
を送信して（ステップＳ１００８）、一連の処理を終了する。
【０１３１】
上述した実施の形態においては、スマートフォンなどの利用者の端末装置１２０に設け
られた記憶媒体に記憶された利用者の識別情報を、別の利用者の端末装置１２０によって
取得する例について説明したが、利用者の識別情報を記憶する記憶媒体は、利用者の端末
装置１２０に設けられているものに限らない。利用者の識別情報を記憶する記憶媒体は、
たとえば、クレジットカードやキャッシュカードなどのカード状の媒体に設けられたＩＣ
チップが備える記憶媒体によって実現するようにしてもよい。この場合、たとえば、クレ
ジットカードのカード番号やキャッシュカードのカード番号（口座番号）によって利用者
の識別情報を実現してもよい。
【０１３２】
利用者の識別情報を記憶する記憶媒体を、たとえば、クレジットカードに設けられたＩ
Ｃチップが備える記憶媒体によって実現する場合、所定期間におけるクレジットカードの
利用履歴に基づいて制限情報を設定するようにしてもよい。所定期間は、前回の締め日の
翌日から次回の締め日までの期間であって、たとえば１ヶ月間とすることができる。締め
日は、カード会社が加盟店への立替払金額やカード会員への請求金額を確定するための締
め切り日であり、たとえば「毎月１０日」、「毎月２５日」などのように設定されている
。
【０１３３】
具体的には、たとえば締め日が「毎月１０日」である場合、所定期間は、毎月１１日〜
翌月の１０日までの期間とされる。所定期間におけるクレジットカードの利用履歴は、た
とえば、１ヶ月ごとに締め日がある場合、前回の締め日の翌日から次回の締め日までの１
ヶ月間における累積のカード決済の利用金額とすることができる。
【０１３４】
たとえば、１ヶ月間における累積のカード決済による利用金額を制限情報とする場合、
サーバコンピュータ１１０は、当該利用金額が所定金額よりも多い利用者の端末装置１２
０から宣伝情報取得要求を受信した場合に、当該利用者の端末装置１２０に対して該当す
る宣伝情報を送信するようにすることができる。逆に、サーバコンピュータ１１０は、１
ヶ月間における累積のカード決済による利用金額が所定金額よりも多い利用者の識別情報
の宣伝情報にかかる宣伝情報取得要求を受信した場合に、当該宣伝情報取得要求の送信元
となる利用者の端末装置１２０に対して該当する宣伝情報を送信するようにしてもよい。
【０１３５】
所定期間におけるクレジットカードの利用履歴に基づいて制限情報を設定するようにし
た場合、サーバコンピュータ１１０は、たとえば、クレジットカードのカード番号と、当
該クレジットカードを用いておこなわれたカード決済に関する情報を関連付けて記憶する
データベース（図示を省略する）を参照して宣伝情報の送信の可否を判断することができ
る。このデータベースは、カード決済に関する情報として、たとえば、カードの利用日時
、カード決済をおこなった店舗、所定期間における累積の利用金額などを記憶する。
【０１３６】
また、所定期間におけるクレジットカードの利用履歴に基づいて制限情報を設定するよ
うにした場合にサーバコンピュータ１１０が参照するデータベースは、たとえば、クレジ
ットカードの有効期限、クレジットカードの所有者（利用者）の氏名、住所（請求書の送
付先）、電話番号、メールアドレス、性別など、クレジットカードの所有者（利用者）あ
るいはクレジットカードに関する各種の情報を記憶していてもよい。当該データベースは
、サーバコンピュータ１１０を実現するコンピュータ装置が備えるＨＤ２０５などに設け
ることができる。また、当該データベースは、サーバコンピュータ１１０を実現するコン
ピュータ装置が直接備える記憶媒体に限らず、たとえば、サーバコンピュータ１１０を実
現するコンピュータ装置と通信可能に接続された別のコンピュータ装置（クレジットカー
ド会社が別途管理するコンピュータ装置など）が備える記憶媒体に設けられていてもよい
。
【０１３７】
また、宣伝情報は、上述した実施の形態において説明したものに限らない。たとえば、
鉄道やバスなどの交通機関を利用時の乗車区間を示す情報によって宣伝情報を実現するこ
とができる。具体的には、たとえば、「鉄道○×線の路線上であって、Ａ駅からＢ駅間」
などのように、通勤や通学などで利用する頻度が高い範囲を特定可能な情報によって宣伝
情報を実現することができる。
【０１３８】
このような構成とすることにより、宣伝情報を享受する利用者は、鉄道の座席に着席し
ている乗客を撮影することによって、当該乗客が降車する可能性の高い駅を知ることがで
きる。なお、このような宣伝情報提供システム１００を構成する場合、宣伝情報を享受し
ている間は、通常の撮影機能すなわち撮影した画像を保存することができる機能を無効と
するようにしてもよい。これによって、無闇に写真撮影がおこなわれ、当該写真が不正に
使用されることを防止することができる。
【０１３９】
また、制限情報は、上述した実施の形態において説明したものに限らない。たとえば、
宣伝情報の提供が許可される位置や範囲を特定可能な情報によって制限情報を実現するこ
とができる。具体的には、たとえば、上記のように乗車区間を示す情報を宣伝情報として
設定可能な宣伝情報適用システム１００においては、「鉄道○×線の路線上であって、Ａ
駅からＢ駅間」などのように、制限情報を設定することができる。
【０１４０】
この場合、宣伝情報は、宣伝情報を享受する利用者の端末装置１２０が、制限情報によ
って特定される範囲内に存在する場合に、当該利用者の端末装置１２０に送信される。宣
伝情報を享受する利用者の端末装置１２０の現在位置は、たとえば、利用者の端末装置１
２０を実現するスマートフォンが備えるＧＰＳ機能によって特定することができる。これ
により、宣伝情報を提供する利用者（当該利用者の端末装置１２０）が「鉄道○×線の路
線上であって、Ａ駅からＢ駅間」にいる場合に限って、宣伝情報を享受する利用者に対し
て降車予定駅を案内することができる。
【０１４１】
また、制限情報は、たとえば、宣伝情報の提供が許可される時間帯を特定可能な情報に
よって実現してもよい。具体的には、たとえば、通勤や通学時間帯を特定可能な情報によ
って制限情報を実現することができる。この場合、宣伝情報は、制限情報によって特定さ
れる時間帯にのみ提供される。あるいは、この場合、宣伝情報が、制限情報によって特定
される時間帯以外の時間帯に提供されるようにしてもよい。
【０１４２】
また、宣伝情報は、上述した実施の形態において説明したように、個人を宣伝する情報
に限らない。たとえば、宣伝情報提供システム１００の利用者（第１の利用者）と企業と
が契約することにより、当該企業に関する情報を当該利用者（第１の利用者）と宣伝情報
とすることができる。
【０１４３】
また、上述した実施の形態においては、人物によって宣伝情報を提供する利用者（第１
の利用者）を実現する例について説明したが、この実施の形態において、宣伝情報を提供
する利用者（第１の利用者）は人物に限らない。具体的には、宣伝情報を提供する利用者
（第１の利用者）は、たとえば、車・バイク・自転車などの車両、犬・猫などの動物など
、人物以外の物体によって実現されるものであってもよい。宣伝情報を提供する利用者（
第１の利用者）は、人物、車両、動物などのように、定位置に存在する物体ではなく、移
動可能な移動体によって実現されることが好ましい。
【０１４４】
たとえば、宣伝情報を提供する利用者（第１の利用者）を車両によって実現する場合、
当該車両を製造したメーカー、年式、出力、改造内容やその他の特徴など、当該車両に関
する各種の情報によって宣伝情報を実現することができる。これにより、車両に対して、
エンジン内部やショックアブソーバーなど外観では気づきにくい箇所に改造を施した場合
にも、当該改造内容に関する詳細な情報を提供することができる。
【０１４５】
また、たとえば、宣伝情報を提供する利用者（第１の利用者）をクラッシックカーに分
類される車両によって実現する場合、当該車両の特徴を書面を用いて説明するためには、
クラッシックカーに対する予備知識を充当することも考慮すると多くの書面が必要になる
ことが想定される。これに対し、この発明にかかる実施の形態の宣伝情報提供システム１
００を利用することにより、多量の情報を容易に提供することができる。
【０１４６】
また、たとえば、宣伝情報を提供する利用者（第１の利用者）をバイクや自転車などの
車両によって実現する場合も同様であり、この発明にかかる実施の形態の宣伝情報提供シ
ステム１００を利用することにより、狭い宣伝スペースであっても多量の情報を容易に提
供することができる。具体的には、たとえば、宣伝情報を提供する利用者（第１の利用者
）が、販売価格が数十万円〜百数十万円の自転車である場合、当該自転車の価格や該価格
に相当する価値があることを示す特徴などに関する宣伝情報を容易に提供することができ
る。
【０１４７】
また、たとえば、宣伝情報を提供する利用者（第１の利用者）を犬・猫などの動物によ
って実現する場合、当該動物の種類、年齢、出身地／原産地などの情報によって宣伝情報
を実現することができる。そして、これらの宣伝情報を、利用者に関する情報に基づいて
、たとえば、「動物（犬、ねこなど）に関心あり」という利用者（第２の利用者）に限っ
て提供するようにしてもよい。これによって、動物の愛好家である利用者（第２の利用者
）は、当該愛好家が見かけた動物に関心を持った任意のタイミングで、当該動物の宣伝情
報の提供を受けることができる。
【０１４８】
また、たとえば、希少性の高い犬の飼い主が宣伝情報を提供する利用者（第１の利用者
）である場合、当該犬の希少性がいかに高いか（珍しい犬であるか）を示す情報によって
宣伝情報を実現することにより、当該利用者（第１の利用者）が飼育する犬の希少性を、
当該犬に対して関心を持った利用者（第２の利用者）に対して提供することができる。こ
れにより、宣伝情報の提供元に対して関心をもった利用者（第２の利用者）に対して、当
該利用者（第２の利用者）が所望する宣伝情報を的確に提供することができ、提供される
宣伝情報の有用性を高めることができる。
【０１４９】
宣伝情報を提供する利用者（第１の利用者）を人物以外の物体によって実現する場合、
利用者の端末装置１２０は、スマートフォン、携帯型電話機、ＰＨＳなどの通話型の携帯
型通信機器に代えて、通話型の携帯型通信機器よりも小型の携帯型通信機器によって実現
することが好ましい。通話型の携帯型通信機器よりも小型の携帯型通信機器は、利用者の
識別情報を記憶する記憶媒体および宣伝情報の提供を受ける利用者（第２の利用者）の端
末装置１２０との間で通信可能な通信機能を備えていればよい。
【０１５０】
具体的には、通話型の携帯型通信機器よりも小型の携帯型通信機器は、上記のクレジッ
トカードやキャッシュカードなどのカード状の媒体に設けられた非接触型のＩＣチップに
よって実現することができる。このように、通話型の携帯型通信機器よりも小型の携帯型
通信機器を非接触型のＩＣチップによって実現することにより、宣伝情報を提供する利用
者（第１の利用者）が犬・猫などの動物である場合は、当該動物の首輪に設けることがで
きる。
【０１５１】
以上説明したように、この発明にかかる実施の形態の宣伝情報提供システム１００は、
利用者の識別情報を記憶する記憶媒体７１０と、当該記憶媒体７１０が記憶する利用者の
識別情報を読み取り可能な利用者の端末装置１２０と、当該利用者の端末装置１２０が接
続可能なサーバコンピュータ１１０と、を備えている。そして、この発明にかかる実施の
形態の宣伝情報提供システム１００は、利用者の端末装置１２０において、被写体を撮影
がおこなわれた場合に、自装置（撮影をおこなった利用者の端末装置１２０）から所定範
囲内に存在する記憶媒体７１０が記憶する利用者の識別情報を取得し、取得された利用者
の識別情報を含む宣伝情報取得要求をサーバコンピュータ１１０に送信する。
【０１５２】
また、この発明にかかる実施の形態の宣伝情報提供システム１００は、利用者の識別情
報と利用者が任意に設定した宣伝情報とを関連付けて記憶する宣伝情報データベース４０
０を備えるサーバコンピュータ１１０において、利用者の端末装置１２０から送信された
宣伝情報取得要求を受信した場合は、受信された宣伝情報取得要求に含まれる利用者の識
別情報に関連付けられた宣伝情報を宣伝情報データベース４００から取得し、取得された
宣伝情報を受信された宣伝情報取得要求の送信元の利用者の端末装置１２０に対して送信
する。
【０１５３】
そして、この発明にかかる実施の形態の宣伝情報提供システム１００は、利用者の端末
装置１２０において、サーバコンピュータ１１０から送信された宣伝情報を受信すると、
受信された宣伝情報を、撮影部７２０によって撮影された被写体の画像に重ねて表示する
ようにしたことを特徴としている。
【０１５４】
この発明にかかる実施の形態の宣伝情報提供システム１００によれば、宣伝情報を提供
する利用者が任意に設定した宣伝情報を、当該宣伝情報を享受する利用者に当該利用者の
任意のタイミングで提供することができる。これにより、宣伝情報提供システム１００の
利用者に対して、高いエンターテインメント性を備えたサービスを提供することができる
。
【０１５５】
また、この発明にかかる実施の形態の宣伝情報提供システム１００によれば、宣伝情報
を提供する利用者は任意の情報を宣伝情報として提供することができ、宣伝情報を享受す
る利用者は当該利用者が選択した利用者にかかる宣伝情報を当該利用者の任意のタイミン
グで取得することができる。これにより、宣伝情報を提供する利用者および宣伝情報を享
受する利用者の双方にとって、利用に際しての自由度が高く、利用者の様々な要望や状況
に柔軟に対応できる、高いエンターテインメント性を備えたサービスを提供することがで
きる。
【０１５６】
また、この発明にかかる実施の形態の宣伝情報提供システム１００は、利用者の端末装
置１２０の利用者の識別情報と利用者に関する情報とを関連付けて記憶する利用者情報デ
ータベース５００と、利用者の識別情報と利用者が任意に設定した制限情報とを関連付け
て記憶する制限情報データベース６００と、を備えたサーバコンピュータ１１０において
、受信された宣伝情報取得要求の送信元の利用者の端末装置１２０の利用者の識別情報に
関連付けられた利用者に関する情報を利用者情報データベース５００から取得し、受信さ
れた宣伝情報取得要求に含まれる利用者の識別情報に関連付けられた制限情報を制限情報
データベース６００から取得し、取得された利用者に関する情報および制限情報に基づい
て宣伝情報の送信の可否を判断する。そして、当該判断結果に基づいて、該当する利用者
の端末装置１２０に対して該当する宣伝情報を送信することを特徴としている。
【０１５７】
この発明にかかる実施の形態の宣伝情報提供システム１００によれば、宣伝情報を提供
する利用者は、当該利用者が提供した宣伝情報を享受する利用者を制限することができる
。また、この発明にかかる実施の形態の宣伝情報提供システム１００によれば、宣伝情報
を享受する利用者は、当該利用者にかかる利用者情報を用いて制限情報による制限内の宣
伝情報を享受することにより、当該利用者に関連性が高い情報を優先的に享受することが
できる。
【０１５８】
また、この発明にかかる実施の形態の宣伝情報提供システム１００は、宣伝情報の送信
の可否の判断結果に基づいて、送信順序が定められた複数の分割された宣伝情報によって
構成された宣伝情報を、分割された宣伝情報単位で段階的に送信することを特徴としてい
る。
【０１５９】
この発明にかかる実施の形態の宣伝情報提供システム１００によれば、宣伝情報を享受
する利用者に応じて提供する宣伝情報を制限することができる。これによって、宣伝情報
を提供する利用者は、宣伝情報を享受する利用者に応じて、提供する宣伝情報の内容を容
易に調整することができる。
【０１６０】
また、この発明にかかる実施の形態の宣伝情報提供システム１００は、利用者の端末装
置１２０において、撮影された被写体の画像を解析し、当該解析結果に基づいて、サーバ
コンピュータ１１０から受信された宣伝情報を、被写体の画像中の人物における所定の位
置に重ねて表示することを特徴としている。
【０１６１】
この発明にかかる実施の形態の宣伝情報提供システム１００によれば、利用者の端末装
置１２０において、宣伝情報を提供する利用者が所望する位置に宣伝情報を表示すること
ができる。これによって、宣伝情報を提供する利用者の意図を効果的に反映することがで
き、宣伝情報の報知効果を高めることができる。
【０１６２】
また、この発明にかかる実施の形態の宣伝情報提供システム１００は、記憶媒体７１０
が、携帯型通信機器に設けられていることを特徴としている。具体的には、たとえば、こ
の発明にかかる実施の形態の宣伝情報提供システム１００においては、記憶媒体７１０が
、スマートフォン、携帯型電話機、ＰＨＳなどの携帯型通信機器に設けられていることを
特徴としている。
【０１６３】
この発明にかかる実施の形態の宣伝情報提供システム１００によれば、スマートフォン
、携帯型電話機、ＰＨＳなどの可搬性に優れた携帯型通信機器に設けられた記憶媒体７１
０に利用者の識別情報を記憶することにより、宣伝情報提供システム１００の普及および
利用の促進を図ることができる。これによって、宣伝情報を提供する利用者は宣伝情報を
広く配信することができ、宣伝情報を享受する利用者は多数の宣伝情報を享受することが
できるので、高いエンターテインメント性を備えたサービスを提供することができる。
【０１６４】
また、この発明にかかる実施の形態の宣伝情報提供システム１００は、記憶媒体７１０
が、カード状の媒体に設けられていることを特徴としてもよい。この発明にかかる実施の
形態の宣伝情報提供システム１００によれば、可搬性に優れたカード状の媒体に設けられ
た記憶媒体７１０に利用者の識別情報を記憶することにより、宣伝情報提供システム１０
０の普及および利用の促進を図ることができる。これによって、宣伝情報を提供する利用
者は宣伝情報を広く配信することができ、宣伝情報を享受する利用者は多数の宣伝情報を
享受することができるので、高いエンターテインメント性を備えたサービスを提供するこ
とができる。
【０１６５】
また、この発明にかかる実施の形態の宣伝情報提供システム１００によれば、たとえば
、クレジットカードやキャッシュカードなどのカード状の媒体の発行元が、各カードが発
行された利用者に対して宣伝情報提供システム１００の利用を許可する運用とすることに
より、クレジットカードやキャッシュカードなどのカード状の媒体の発行元における利用
者の囲い込みを図ることができる。
【０１６６】
また、この発明にかかる実施の形態の宣伝情報提供システム１００は、利用者の端末装
置１２０が、スマートフォン、携帯型電話機、ＰＨＳなどの携帯型通信機器によって実現
されることを特徴としている。この発明にかかる実施の形態の宣伝情報提供システム１０
０によれば、スマートフォン、携帯型電話機、ＰＨＳなどの可搬性に優れた携帯型通信機
器によって利用者の端末装置１２０を実現することにより、宣伝情報提供システム１００
の普及および利用の促進を図ることができる。これによって、宣伝情報を提供する利用者
は宣伝情報を広く配信することができ、宣伝情報を享受する利用者は多数の宣伝情報を享
受することができるので、高いエンターテインメント性を備えたサービスを提供すること
ができる。
【０１６７】
なお、この実施の形態で説明した宣伝情報提供方法は、あらかじめ用意されたプログラ
ムをパーソナルコンピュータやワークステーションなどのコンピュータで実行することに
より実現することができる。このプログラムは、ハードディスク、フレキシブルディスク
、ＣＤ−ＲＯＭ、ＭＯ、ＤＶＤなどのコンピュータで読み取り可能な記録媒体に記録され
、コンピュータによって記録媒体から読み出されることによって実行される。またこのプ
ログラムは、インターネットなどのネットワークを介して配布することが可能な伝送媒体
であってもよい。
【産業上の利用可能性】
【０１６８】
以上のように、この発明にかかる宣伝情報提供システム、宣伝情報提供方法および宣伝
情報提供プログラムは、宣伝情報の提供および宣伝情報を享受する利用者を支援する宣伝
情報提供システム、宣伝情報提供方法および宣伝情報提供プログラムに有用であり、特に
、宣伝情報の種類や内容、利用者などを限定せず自由度の高い宣伝情報提供システム、宣
伝情報提供方法および宣伝情報提供プログラムに適している。
【符号の説明】
【０１６９】
１００  宣伝情報提供システム
１１０  サーバコンピュータ
１２０  利用者の端末装置
４００  宣伝情報データベース
５００  利用者情報データベース
６００  制限情報データベース
７１０  記憶媒体
７２０  撮影部
７２１  画像解析部
７２２  利用者識別情報取得部
７２３  要求送信部
７２４  宣伝情報受信部
７２５  宣伝情報表示部
７３０  要求受信部
７３１  宣伝情報取得部
７３２  利用者情報取得部
７３３  制限情報取得部
７３４  送信可否判断部
７３５  宣伝情報送信部
８１０、８２０、８３０、８４０、８５０、８６０、８７０  表示画面
【図１】
2016053965.tif 000003
【図２】
2016053965.tif 000004
【図３】
2016053965.tif 000005
【図４】
2016053965.tif 000006
【図５】
2016053965.tif 000007
【図６】
2016053965.tif 000008
【図７】
2016053965.tif 000009
【図８−１】
2016053965.tif 000010
【図８−２】
2016053965.tif 000011
【図８−３】
2016053965.tif 000012
【図８−４】
2016053965.tif 000013
【図８−５】
2016053965.tif 000014
【図８−６】
2016053965.tif 000015
【図８−７】
2016053965.tif 000016
【図９】
2016053965.tif 000017
【図１０】
2016053965.tif 000018
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
宣伝情報を提供する第１の利用者の識別情報を記憶する記憶媒体と、当該記憶媒体が記憶する当該第１の利用者の識別情報を読み取り可能な、宣伝情報の提供を受ける第２の利用者の端末装置と、当該第２の利用者の端末装置が接続可能なサーバコンピュータと、を備える宣伝情報提供システムであって、
前記第２の利用者の端末装置は、
前記第１の利用者が含まれる画像を撮影する撮影手段と、
前記画像を表示画面に表示する表示手段と、
前記画像を保存する画像保存手段と、
前記撮影手段によって撮影がおこなわれた場合に、自装置から所定範囲内に存在する前記記憶媒体が記憶する第１の利用者の識別情報を取得する利用者識別情報取得手段と、
前記利用者識別情報取得手段によって取得された前記第１の利用者の識別情報を含む宣伝情報取得要求を前記サーバコンピュータに送信する要求送信手段と、を備え、
前記サーバコンピュータは、
前記第１の利用者の識別情報と当該第１の利用者が任意に設定した宣伝情報とを関連付けて記憶する宣伝情報データベースと、
前記第２の利用者の端末装置から送信された宣伝情報取得要求を受信する要求受信手段と、
前記宣伝情報データベースを参照して、前記要求受信手段によって受信された宣伝情報取得要求に含まれる前記第１の利用者の識別情報に関連付けられた宣伝情報を取得する宣伝情報取得手段と、
前記要求受信手段によって受信された宣伝情報取得要求の送信元の前記第２の利用者の端末装置に対して前記宣伝情報取得手段によって取得された宣伝情報を送信する宣伝情報送信手段と、を備え、
前記第２の利用者の端末装置は、
前記サーバコンピュータから送信された宣伝情報を受信する宣伝情報受信手段を備え、
前記表示手段は、前記宣伝情報受信手段によって受信された宣伝情報を、前記表示画面に、前記画像に重ねて表示し、
前記画像保存手段は、前記宣伝情報が前記表示画面に表示されている間は、前記画像を保存する機能を無効にすることを特徴とする宣伝情報提供システム。
【請求項２】
宣伝情報を提供する第１の利用者の識別情報を記憶する記憶媒体と、当該記憶媒体が記憶する当該第１の利用者の識別情報を読み取り可能な、宣伝情報の提供を受ける第２の利用者の端末装置と、当該第２の利用者の端末装置が接続可能なサーバコンピュータと、を備える宣伝情報提供システムであって、
前記第２の利用者の端末装置は、
前記第１の利用者が含まれる画像を撮影する撮影手段と、
前記画像を表示画面に表示する表示手段と、
前記撮影手段によって撮影がおこなわれた場合に、自装置から所定範囲内に存在する前記記憶媒体が記憶する第１の利用者の識別情報を取得する利用者識別情報取得手段と、
前記利用者識別情報取得手段によって取得された前記第１の利用者の識別情報と前記第２の利用者の識別情報とを含む宣伝情報取得要求を前記サーバコンピュータに送信する要求送信手段と、を備え、
前記サーバコンピュータは、
前記第２の利用者に関する利用者情報を当該第２の利用者の識別情報と関連付けて記憶される利用者情報データベースと、
前記宣伝情報の提供を許可する利用者に関する制限情報を前記第１の利用者の識別情報と関連付けて記憶する制限情報データベースと、
前記第１の利用者の識別情報と当該第１の利用者が任意に設定した宣伝情報とを関連付けて記憶する宣伝情報データベースと、
前記第２の利用者の端末装置から送信された宣伝情報取得要求を受信する要求受信手段と、
前記利用者情報データベースおよび前記制限情報データベースを参照して、前記宣伝情報の提供可否を判断し、提供可と判断された場合に、前記宣伝情報データベースを参照して、前記要求受信手段によって受信された宣伝情報取得要求に含まれる第１の利用者の識別情報に関連付けられた宣伝情報を取得する宣伝情報取得手段と、
前記要求受信手段によって受信された宣伝情報取得要求の送信元の前記第２の利用者の端末装置に対して前記宣伝情報取得手段によって取得された宣伝情報を送信する宣伝情報送信手段と、を備え、
前記第２の利用者の端末装置は、
前記サーバコンピュータから送信された宣伝情報を受信する宣伝情報受信手段を備え、  前記表示手段は、前記宣伝情報受信手段によって受信された宣伝情報を、前記表示画面に、前記画像に重ねて表示することを特徴とする宣伝情報提供システム。
【請求項３】
前記第１の利用者は、人物以外の移動体であることを特徴とする請求項１または２に記載の宣伝情報提供システム。
【請求項４】
宣伝情報を提供する第１の利用者の識別情報を記憶する記憶媒体に記憶された当該第１の利用者の識別情報を読み取り可能な、宣伝情報の提供を受ける第２の利用者の端末装置であって、
前記第１の利用者が含まれる画像を撮影する撮影手段と、
前記画像を表示画面に表示する表示手段と、
前記画像を保存する画像保存手段と、
前記撮影手段によって撮影がおこなわれた場合に、自装置から所定範囲内に存在する前記記憶媒体が記憶する第１の利用者の識別情報を取得する利用者識別情報取得手段と、
前記利用者識別情報取得手段によって取得された前記第１の利用者の識別情報を含む宣伝情報取得要求を前記サーバコンピュータに送信する要求送信手段と、
前記サーバコンピュータから送信された宣伝情報を受信する宣伝情報受信手段と、
を備え、
前記表示手段は、前記宣伝情報受信手段によって受信された宣伝情報を、前記表示画面に、前記画像に重ねて表示し、
前記画像保存手段は、前記宣伝情報が前記表示画面に表示されている間は、前記画像を保存する機能を無効にすることを特徴とする端末装置。
【請求項５】
宣伝情報を提供する第１の利用者の識別情報を記憶する記憶媒体に記憶された当該第１の利用者の識別情報を読み取り可能な、宣伝情報の提供を受ける第２の利用者の端末装置であって、
前記第１の利用者が含まれる画像を撮影する撮影手段と、
前記画像を表示画面に表示する表示手段と、
前記撮影手段によって撮影がおこなわれた場合に、自装置から所定範囲内に存在する前記記憶媒体が記憶する第１の利用者の識別情報を取得する利用者識別情報取得手段と、
前記利用者識別情報取得手段によって取得された前記第１の利用者の識別情報と前記第２の利用者の識別情報とを含む宣伝情報取得要求を前記サーバコンピュータに送信する要求送信手段と、
前記サーバコンピュータから送信された、前記第１の利用者から提供を許可された宣伝情報を受信する宣伝情報受信手段と、
を備え、
前記表示手段は、前記宣伝情報受信手段によって受信された宣伝情報を、前記表示画面に、前記画像に重ねて表示することを特徴とする端末装置。
【請求項６】
前記第１の利用者は、人物以外の移動体であることを特徴とする請求項４または５に記載の端末装置。
【請求項７】
宣伝情報を提供する第１の利用者の識別情報を記憶する記憶媒体と、画像を撮影し保存する機能を有し、当該記憶媒体が記憶する当該第１の利用者の識別情報を読み取り可能な、宣伝情報の提供を受ける、第２の利用者の端末装置が接続可能なサーバコンピュータに実行させる宣伝情報提供プログラムであって、
前記サーバコンピュータに、
前記第１の利用者の識別情報を含む、前記第２の利用者の端末装置から送信された宣伝情報取得要求を受信する要求受信工程と、
前記第１の利用者の識別情報と当該第１の利用者が任意に設定した宣伝情報とを関連付けて記憶する宣伝情報データベースを参照して、前記要求受信工程によって受信された宣伝情報取得要求に含まれる前記第１の利用者の識別情報に関連付けられた宣伝情報を取得する宣伝情報取得工程と、
前記要求受信工程によって受信された宣伝情報取得要求の送信元の前記第２の利用者の端末装置に対して、当該第２の利用者の端末装置において前記宣伝情報取得工程によって取得された、前記第２の利用者の端末装置の表示画面に表示する宣伝情報を送信する宣伝情報送信工程と、を実行させ、
前記宣伝情報が前記第２の利用者の端末装置の表示画面に表示されている間は、当該第２の利用者の端末装置が前記画像を保存する機能を無効にすることを特徴とする宣伝情報提供プログラム。
【請求項８】
宣伝情報を提供する第１の利用者の識別情報を記憶する記憶媒体と、当該記憶媒体が記憶する当該第１の利用者の識別情報を読み取り可能な、宣伝情報の提供を受ける第２の利用者の端末装置が接続可能なサーバコンピュータに実行させる宣伝情報提供プログラムであって、
前記第２の利用者に関する利用者情報を当該第２の利用者の識別情報と関連付けて記憶される利用者情報データベースと、
前記宣伝情報の提供を許可する利用者に関する制限情報を前記第１の利用者の識別情報と関連付けて記憶する制限情報データベースと、
前記第１の利用者の識別情報と当該第１の利用者が任意に設定した宣伝情報とを関連付けて記憶する宣伝情報データベースと、
を有する前記サーバコンピュータに、
前記第１の利用者の識別情報と前記第２の利用者の識別情報とを含む、前記第２の利用者の端末装置から送信された宣伝情報取得要求を受信する要求受信工程と、
前記利用者情報データベースおよび前記制限情報データベースを参照して、前記宣伝情報の提供可否を判断し、提供可と判断された場合に、前記宣伝情報データベースを参照して、前記要求受信工程によって受信された宣伝情報取得要求に含まれる第１の利用者の識別情報に関連付けられた宣伝情報を取得する宣伝情報取得工程と、
前記要求受信工程によって受信された宣伝情報取得要求の送信元の前記第２の利用者の端末装置に対して前記宣伝情報取得工程によって取得された宣伝情報を送信する宣伝情報送信工程と、を実行させ、
前記第２の利用者の端末装置に、前記サーバコンピュータから送信された宣伝情報を受信する宣伝情報受信工程を実行させることを特徴とする宣伝情報提供プログラム。
【請求項９】
宣伝情報を提供する第１の利用者の識別情報を記憶する記憶媒体に記憶された当該第１の利用者の識別情報を読み取り可能な、宣伝情報の提供を受ける第２の利用者の端末装置に実行させる宣伝情報提供プログラムであって、
前記第１の利用者が含まれる画像を撮影する撮影工程と、
前記画像を表示画面に表示する表示工程と、
前記画像を保存する画像保存工程と、
前記撮影工程によって撮影がおこなわれた場合に、自装置から所定範囲内に存在する前記記憶媒体が記憶する第１の利用者の識別情報を取得する利用者識別情報取得工程と、
前記利用者識別情報取得工程によって取得された前記第１の利用者の識別情報を含む宣伝情報取得要求を前記サーバコンピュータに送信する要求送信工程と、
前記サーバコンピュータから送信された宣伝情報を受信する宣伝情報受信工程と、
を前記第２の利用者の端末装置に実行させ、
前記表示工程は、前記宣伝情報受信工程によって受信された宣伝情報を、前記表示画面に、前記画像に重ねて表示し、
前記画像保存工程は、前記宣伝情報が前記表示画面に表示されている間は、前記画像を保存する機能を無効にすることを特徴とする宣伝情報提供プログラム。
【請求項１０】
宣伝情報を提供する第１の利用者の識別情報を記憶する記憶媒体に記憶された当該第１の利用者の識別情報を読み取り可能な、宣伝情報の提供を受ける第２の利用者の端末装置に実行させる宣伝情報提供プログラムであって、
前記第１の利用者が含まれる画像を撮影する撮影工程と、
前記画像を表示画面に表示する表示工程と、
前記撮影工程によって撮影がおこなわれた場合に、自装置から所定範囲内に存在する前記記憶媒体が記憶する第１の利用者の識別情報を取得する利用者識別情報取得工程と、
前記利用者識別情報取得工程によって取得された前記第１の利用者の識別情報と前記第２の利用者の識別情報とを含む宣伝情報取得要求を前記サーバコンピュータに送信する要求送信工程と、
前記サーバコンピュータから送信された、前記第１の利用者から提供を許可された宣伝情報を受信する宣伝情報受信工程と、
を第２の利用者の端末装置に実行させ、
前記表示工程は、前記宣伝情報受信工程によって受信された宣伝情報を、前記表示画面に、前記画像に重ねて表示することを特徴とする宣伝情報提供プログラム。